(57)【要約】【課題】伸縮式ブームの周囲の設計の自由度を向上できるクレーンを提供する。【解決手段】クレーンを、伸縮可能に重なる内側ブーム要素および外側ブーム要素を有する伸縮式ブームと、内側ブーム要素および外側ブーム要素のうちの一方のブーム要素を伸縮方向に変位させる伸縮用アクチュエータと、伸縮用アクチュエータに設けられた少なくとも一つの電気的駆動源と、電気的駆動源の動力に基づいて作動し、伸縮用アクチュエータと一方のブーム要素との連結状態と非連結状態とを切り換える第一連結機構と、電気的駆動源の動力に基づいて作動し、内側ブーム要素と外側ブーム要素との連結状態と非連結状態とを切り換える第二連結機構と、を備えるように構成する。【選択図】図３Ｂ
2019142620.tif 000002
【特許請求の範囲】
【請求項１】
伸縮可能に重なる内側ブーム要素および外側ブーム要素を有する伸縮式ブームと、
前記内側ブーム要素および前記外側ブーム要素のうちの一方のブーム要素を伸縮方向に変位させる伸縮用アクチュエータと、
前記伸縮用アクチュエータに設けられた少なくとも一つの電気的駆動源と、
前記電気的駆動源の動力に基づいて作動し、前記伸縮用アクチュエータと前記一方のブーム要素との連結状態と非連結状態とを切り換える第一連結機構と、
前記電気的駆動源の動力に基づいて作動し、前記内側ブーム要素と前記外側ブームとの連結状態と非連結状態とを切り換える第二連結機構と、を備える、
クレーン。
【請求項２】
前記伸縮用アクチュエータと前記一方のブーム要素とを解除可能に連結する第一連結部材と、
前記内側ブーム要素と前記外側ブーム要素とを解除可能に連結する第二連結部材と、をさらに備え、
前記第一連結機構は、前記電気的駆動源の動力に基づいて前記第一連結部材を変位させることにより、前記伸縮用アクチュエータと前記一方のブーム要素との連結状態と非連結状態とを切り換え、
前記第二連結機構は、前記電気的駆動源の動力に基づいて前記第二連結部材を変位させることにより、前記内側ブーム要素と前記外側ブーム要素との連結状態と非連結状態とを切り換える、請求項１に記載のクレーン。
【請求項３】
前記電気的駆動源が単一の電気的駆動源である、請求項１または２に記載のクレーン。
【請求項４】
前記電気的駆動源の動力を減速して前記第一連結機構および前記第二連結機構に伝達する減速機と、
前記電気的駆動源の停止状態において、前記第一連結機構および前記第二連結機構の状態を保持するためのブレーキ機構と、をさらに備え、
前記電気的駆動源、前記減速機、および前記ブレーキ機構が、前記電気的駆動源の出力軸と同軸状に設けられている、請求項１〜３の何れか一項に記載のクレーン。
【請求項５】
前記ブレーキ機構は、制動時において、前記第一連結機構または前記第二連結機構に所定の大きさ以上の外力が作用した場合に、前記外力に基づく電気的駆動源の回転を許容する、請求項４に記載のクレーン。
【請求項６】
前記ブレーキ機構は、前記減速機よりも前記電気的駆動源側に配置されている、請求項４または５に記載のクレーン。
【請求項７】
前記電気的駆動源の出力軸が、前記伸縮方向に平行である、請求項１〜６の何れか一項に記載のクレーン。
【請求項８】
前記第一連結機構および前記第二連結機構を収容するハウジングをさらに備え、
前記電気的駆動源、前記減速機、および前記ブレーキ機構が、前記ハウジングに固定されている、請求項１〜７の何れか一項に記載のクレーン。
【請求項９】
前記電気的駆動源の動力を、前記第一連結機構と前記第二連結機構とのうちの何れか一方の連結機構に択一的に伝達するスイッチギヤを、さらに備える、請求項１〜８の何れか一項に記載のクレーン。
【請求項１０】
前記スイッチギヤは、前記電気的駆動源の動力を前記一方の連結機構に伝達している状態において、前記第一連結機構と前記第二連結機構とのうちの他方の連結機構の作動を阻止するロック機構をさらに備える、請求項９に記載のクレーン。
【請求項１１】
前記ロック機構が、前記スイッチギヤと同軸上に設けられたロック側回転部材を有する、請求項１０に記載のクレーン。
【請求項１２】
前記第一連結機構は、前記電気的駆動源が停止した状態において、前記伸縮用アクチュエータと前記一方のブーム要素とが連結状態となるように、前記第一連結機構を状態遷移させる第一付勢機構を備える、請求項１〜１１の何れか一項に記載のクレーン。
【請求項１３】
前記第二連結機構は、前記電気的駆動源が停止した状態において、前記一対のブーム要素同士が連結状態となるように、前記第二連結機構を状態遷移させる第二付勢機構を備える、請求項１〜１２の何れか一項に記載のクレーン。
【発明の詳細な説明】
【技術分野】
【０００１】
本発明は、伸縮式ブームを備えるクレーンに関する。
【背景技術】
【０００２】
特許文献１には、複数のブーム要素が入れ子状（テレスコピック状ともいう。）に重なる伸縮式ブーム、および、伸縮式ブームを伸長させる油圧式の伸縮シリンダを備えた移動式のクレーンが開示される。
【０００３】
伸縮式ブームは、隣り合って重なるブーム要素同士を連結するブーム連結ピンを有する。ブーム連結ピンによる連結が解除されたブーム要素（以下、変位可能なブーム要素という。）は、他のブーム要素に対して長手方向（伸縮方向ともいう。）に変位可能となる。
【０００４】
伸縮シリンダは、ロッド部材およびシリンダ部材を有する。このような伸縮シリンダは、シリンダ連結ピンを介して上記変位可能なブーム要素にシリンダ部材を連結する。この状態でシリンダ部材が伸縮方向に変位すると、当該シリンダ部材とともに上記変位可能なブーム要素が変位して伸縮式ブームが伸縮する。
【先行技術文献】
【特許文献】
【０００５】
【特許文献１】特開２０１２−９６９２８号公報
【発明の概要】
【発明が解決しようとする課題】
【０００６】
ところで、上述のようなクレーンは、ブーム連結ピンを変位させる油圧式のアクチュエータ、シリンダ連結ピンを変位させる油圧式のアクチュエータ、およびこれら各アクチュエータに圧油を供給する油圧回路を備える。このような油圧回路は、たとえば伸縮式ブームの周囲に設けられる。このため、伸縮式ブームの周囲における設計の自由度が低下する可能性がある。
【０００７】
本発明の目的は、伸縮式ブームの周囲における設計の自由度を向上できるクレーンを提供することである。
【課題を解決するための手段】
【０００８】
本発明に係るクレーンは、伸縮可能に重なる内側ブーム要素および外側ブーム要素を有する伸縮式ブームと、内側ブーム要素および外側ブーム要素のうちの一方のブーム要素を伸縮方向に変位させる伸縮用アクチュエータと、伸縮用アクチュエータに設けられた少なくとも一つの電気的駆動源と、電気的駆動源の動力に基づいて作動し、伸縮用アクチュエータと一方のブーム要素との連結状態と非連結状態とを切り換える第一連結機構と、電気的駆動源の動力に基づいて作動し、内側ブーム要素と外側ブームとの連結状態と非連結状態とを切り換える第二連結機構と、を備える。
【発明の効果】
【０００９】
本発明によれば、伸縮式ブームの周囲における設計の自由度を向上できる。
【図面の簡単な説明】
【００１０】
【図１】実施形態１に係る移動式クレーンの模式図である。
【図２】伸縮式ブームの構造および伸縮動作を説明するための模式図である。
【図３Ａ】図３Ａは、アクチュエータの斜視図である。
【図３Ｂ】図３Ｂは、図３ＡのＡ部拡大図である。
【図４】図４は、アクチュエータの部分平面図である。
【図５】図５は、アクチュエータの部分側面図である。
【図６】図６は、ブーム連結ピンを保持した状態のアクチュエータを図５の右側から見た図である。
【図７】図７は、ブーム連結ピンを保持した状態のピン変位モジュールの斜視図である。
【図８】図８は、拡張状態かつブーム連結ピンを保持した状態のピン変位モジュールの正面図である。
【図９】図９は、図８の左側から見た図である。
【図１０】図１０は、図８の右側から見た図である。
【図１１】図１１は、図８の上側から見た図である。
【図１２】図１２は、ブーム連結機構が縮小状態であり、シリンダ連結機構が拡張状態のピン変位モジュールの正面図である。
【図１３】図１３は、ブーム連結機構が拡張状態であり、シリンダ連結機構が縮小状態のピン変位モジュールの正面図である。
【図１４Ａ】図１４Ａは、ロック機構の動作を説明するための模式図である。
【図１４Ｂ】図１４Ｂは、ロック機構の動作を説明するための模式図である。
【図１４Ｃ】図１４Ｃは、ロック機構の動作を説明するための模式図である。
【図１４Ｄ】図１４Ｄは、ロック機構の動作を説明するための模式図である。
【図１５Ａ】図１５Ａは、ロック機構の作用を説明するための模式図である。
【図１５Ｂ】図１５Ｂは、ロック機構の作用を説明するための模式図である。
【図１６】図１６は、伸縮式ブームの伸長動作の際のタイミングチャートである。
【図１７Ａ】図１７Ａは、シリンダ連結機構の動作を説明するための模式図である。
【図１７Ｂ】図１７Ｂは、シリンダ連結機構の動作を説明するための模式図である。
【図１７Ｃ】図１７Ｃは、シリンダ連結機構の動作を説明するための模式図である。
【図１８Ａ】図１８Ａは、ブーム連結機構の動作を説明するための模式図である。
【図１８Ｂ】図１８Ｂは、ブーム連結機構の動作を説明するための模式図である。
【図１８Ｃ】図１８Ｃは、ブーム連結機構の動作を説明するための模式図である。
【図１９Ａ】図１９Ａは、本発明の実施形態２に係るクレーンの位置情報検出装置を示す図である。
【図１９Ｂ】図１９Ｂは、図１９Ａに示される位置情報検出装置を矢印Ａｒの方向から見た図である。
【図１９Ｃ】図１９Ｃは、図１９ＡのＣ１ａ−Ｃ１ａ線断面図である。
【図１９Ｄ】図１９Ｄは、図１９ＡのＣ１ｂ−Ｃ１ｂ線断面図である。
【図２０】図２０は、実施形態２に係るクレーンの位置情報検出装置の動作を説明するための図である。
【図２１Ａ】図２１Ａは、本発明の実施形態３に係るクレーンの位置情報検出装置を示す図である。
【図２１Ｂ】図２１Ｂは、図２１Ａに示される位置情報検出装置を矢印Ａｒの方向から見た図である。
【図２１Ｃ】図２１Ｃは、図２１ＡのＣ２ａ−Ｃ２ａ線断面図である。
【図２１Ｄ】図２１Ｄは、図２１ＡのＣ２ｂ−Ｃ２ｂ線断面図である。
【図２１Ｅ】図２１Ｅは、図２１ＡのＣ２ｃ−Ｃ２ｃ線断面図である。
【図２２】図２２は、実施形態３に係るクレーンの位置情報検出装置の動作を説明するための図である。
【図２３Ａ】図２３Ａは、本発明の実施形態４に係るクレーンの位置情報検出装置を示す図である。
【図２３Ｂ】図２３Ｂは、図２３Ａに示される位置情報検出装置を矢印Ａｒの方向から見た図である。
【図２３Ｃ】図２３Ｃは、図２３ＡのＣ３ａ−Ｃ３ａ線断面図である。
【図２３Ｄ】図２３Ｄは、図２３ＡのＣ３ｂ−Ｃ３ｂ線断面図である。
【図２４】図２４は、実施形態４に係るクレーンの位置情報検出装置の動作を説明するための図である。
【図２５Ａ】図２５Ａは、本発明の実施形態５に係るクレーンの位置情報検出装置を示す図である。
【図２５Ｂ】図２５Ｂは、図２５Ａに示される位置情報検出装置を矢印Ａｒの方向から見た図である。
【図２５Ｃ】図２５Ｃは、図２５ＡのＣ４ａ−Ｃ４ａ線断面図である。
【図２５Ｄ】図２５Ｄは、図２５ＡのＣ４ｂ−Ｃ４ｂ線断面図である。
【図２５Ｅ】図２５Ｅは、図２５ＡのＣ４ｃ−Ｃ４ｃ線断面図である。
【図２６】図２６は、実施形態５に係るクレーンの位置情報検出装置の動作を説明するための図である。
【図２７Ａ】図２７Ａは、本発明の実施形態６に係るクレーンの位置情報検出装置を示す図である。
【図２７Ｂ】図２７Ｂは、図２７Ａに示される位置情報検出装置を矢印Ａｒの方向から見た図である。
【図２７Ｃ】図２７Ｃは、図２７ＡのＣ５ａ−Ｃ５ａ線断面図である。
【図２７Ｄ】図２７Ｄは、図２７ＡのＣ５ｂ−Ｃ５ｂ線断面図である。
【図２８】図２８は、実施形態６に係るクレーンの位置情報検出装置の動作を説明するための図である。
【図２９Ａ】図２９Ａは、本発明の実施形態７に係るクレーンの位置情報検出装置を示す図である。
【図２９Ｂ】図２９Ｂは、図２９Ａに示される位置情報検出装置を矢印Ａｒの方向から見た図である。
【図２９Ｃ】図２９Ｃは、図２９ＡのＣ６ａ−Ｃ６ａ線断面図である。
【図２９Ｄ】図２９Ｄは、図２９ＡのＣ６ｂ−Ｃ６ｂ線断面図である。
【図２９Ｅ】図２９Ｅは、図２９ＡのＣ６ｃ−Ｃ６ｃ線断面図である。
【図３０】図３０は、実施形態７に係るクレーンの位置情報検出装置の動作を説明するための図である。
【図３１Ａ】図３１Ａは、本発明の実施形態８に係るクレーンの位置情報検出装置を示す図である。
【図３１Ｂ】図３１Ｂは、図３１Ａに示される位置情報検出装置を矢印Ａｒの方向から見た図である。
【図３１Ｃ】図３１Ｃは、図３１ＡのＣ７ａ−Ｃ７ａ線断面図である。
【図３１Ｄ】図３１Ｄは、図３１ＡのＣ７ｂ−Ｃ７ｂ線断面図である。
【図３２】図３２は、実施形態８に係るクレーンの位置情報検出装置の動作を説明するための図である。
【図３３Ａ】図３３Ａは、本発明の実施形態９に係るクレーンの位置情報検出装置を示す図である。
【図３３Ｂ】図３３Ｂは、図３３Ａに示される位置情報検出装置を矢印Ａｒの方向から見た図である。
【図３３Ｃ】図３３Ｃは、図３３ＡのＣ８ａ−Ｃ８ａ線断面図である。
【図３３Ｄ】図３３Ｄは、図３３ＡのＣ８ｂ−Ｃ８ｂ線断面図である。
【図３３Ｅ】図３３Ｅは、図３３ＡのＣ８ｃ−Ｃ８ｃ線断面図である。
【図３４】図３４は、実施形態９に係るクレーンの位置情報検出装置の動作を説明するための図である。
【発明を実施するための形態】
【００１１】
以下、本発明に係る実施形態のいくつかの例を図面に基づいて詳細に説明する。なお、以下に説明する各実施形態は、本発明に係る移動式クレーンの一例であり、本発明は各実施形態により限定されない。
【００１２】
［１．  実施形態１］
図１は、本実施形態に係る移動式クレーン１（図示の場合、ラフテレーンクレーン）の模式図である。
【００１３】
移動式クレーンとして、たとえば、オールテレーンクレーン、トラッククレーン、あるいは積載形トラッククレーン（カーゴクレーンともいう。）が挙げられる。ただし、本発明に係るクレーンは、移動式クレーンに限定されず、伸縮式のブームを備えるその他のクレーンにも適用できる。
【００１４】
以下、まず、移動式クレーン１および移動式クレーン１が備える伸縮式ブーム１４の概要について説明する。その後、本実施形態に係る移動式クレーン１の特徴であるアクチュエータ２の具体的な構造および動作について説明する。
【００１５】
［１．１  移動式クレーンについて］
図１に示す移動式クレーン１は、複数個の車輪１０１を有する走行体１０と、走行体１０の四隅に設けられたアウトリガ１１と、走行体１０の上部に旋回可能に設けられた旋回台１２と、基端部が旋回台１２に固定された伸縮式ブーム１４と、伸縮式ブーム１４を伸縮するアクチュエータ２（図１には省略）と、伸縮式ブーム１４を起伏する起伏シリンダ１５と、伸縮式ブーム１４の先端部から垂れ下がるワイヤ１６と、ワイヤ１６の先端に設けられたフック１７と、を備える。
【００１６】
［伸縮式ブームについて］
つぎに、図１、図２を参照して、伸縮式ブーム１４について説明する。図２は、伸縮式ブーム１４の構造および伸縮動作を説明するための模式図である。
【００１７】
図１には、伸長状態の伸縮式ブーム１４が示される。一方、図２Ａには、収縮状態の伸縮式ブーム１４が示される。図２Ｅには、後述する先端ブーム要素１４１のみが伸長した伸縮式ブーム１４が示される。
【００１８】
伸縮式ブーム１４は、複数（少なくとも一対）のブーム要素からなる。複数のブーム要素はそれぞれ、筒状であって、テレスコピック状に組み合わされる。具体的には、収縮状態において、複数のブーム要素は、内側から順に先端ブーム要素１４１、中間ブーム要素１４２、および基端ブーム要素１４３である。
【００１９】
なお、本実施形態の場合、先端ブーム要素１４１および中間ブーム要素１４２が、伸縮方向に変位可能なブーム要素である。その一方で、基端ブーム要素１４３は、伸縮方向への変位が規制される。
【００２０】
伸縮式ブーム１４は、内側に配置されたブーム要素（つまり、先端ブーム要素１４１）から順に伸長することにより、図２Ａに示す収縮状態から図１に示す伸長状態に状態遷移する。
【００２１】
伸長状態において、最も基端側の基端ブーム要素１４３と最も先端側の先端ブーム要素１４１との間に、中間ブーム要素１４２が配置される。なお、中間ブーム要素は複数でもよい。
【００２２】
伸縮式ブーム１４は、従来から知られている伸縮ブームとほぼ同様であるが、後述するアクチュエータ２の構造および動作に関する説明の便宜のため、以下、先端ブーム要素１４１および中間ブーム要素１４２の構造を説明する。
【００２３】
［先端ブーム要素について］
先端ブーム要素１４１は、筒状であって、アクチュエータ２を収容可能な内部空間を有する。先端ブーム要素１４１は、基端部に、一対のシリンダピン受部１４１ａおよび一対のブームピン受部１４１ｂを有する。
【００２４】
一対のシリンダピン受部１４１ａは、先端ブーム要素１４１の基端部に、互いに同軸に形成される。一対のシリンダピン受部１４１ａはそれぞれ、伸縮シリンダ３のシリンダ部材３２に設けられた一対のシリンダ連結ピン４５４ａ、４５４ｂ（第一連結部材ともいう。）と係脱可能である（つまり、係合状態または離脱状態の何れか一方の状態をとる。）。
【００２５】
シリンダ連結ピン４５４ａ、４５４ｂは、後述するアクチュエータ２が備えるシリンダ連結機構４５の作動に基づいて、自身の軸方向に変位する。一対のシリンダ連結ピン４５４ａ、４５４ｂと一対のシリンダピン受部１４１ａとが係合した状態で、先端ブーム要素１４１は、シリンダ部材３２とともに伸縮方向に変位可能である。
【００２６】
一対のブームピン受部１４１ｂは、シリンダピン受部１４１ａよりも基端側に、互いに同軸に形成される。ブームピン受部１４１ｂはそれぞれ、一対のブーム連結ピン１４４ａ（第二連結部材ともいう。）と係脱可能である。
【００２７】
一対のブーム連結ピン１４４ａはそれぞれ、先端ブーム要素１４１と中間ブーム要素１４２とを連結する。一対のブーム連結ピン１４４ａは、アクチュエータ２が備えるブーム連結機構４６の作動に基づいて、自身の軸方向に変位する。
【００２８】
先端ブーム要素１４１と中間ブーム要素１４２とが一対のブーム連結ピン１４４ａにより連結された状態で、先端ブーム要素１４１のブームピン受部１４１ｂと、後述する中間ブーム要素１４２の第一ブームピン受部１４２ｂまたは第二ブームピン受部１４２ｃとに、ブーム連結ピン１４４ａが架け渡されるように挿通される。
【００２９】
先端ブーム要素１４１と中間ブーム要素１４２とが連結した状態（連結状態ともいう。）において、先端ブーム要素１４１は、中間ブーム要素１４２に対して伸縮方向に変位不能である。
【００３０】
一方、先端ブーム要素１４１と中間ブーム要素１４２との連結が解除された状態（非連結状態ともいう。）において、先端ブーム要素１４１は、中間ブーム要素１４２に対して伸縮方向に変位可能である。
【００３１】
［中間ブーム要素について］
中間ブーム要素１４２は、図２に示すような筒状であって、先端ブーム要素１４１を収容可能な内部空間を有する。中間ブーム要素１４２は、基端部に、一対のシリンダピン受部１４２ａ、一対の第一ブームピン受部１４２ｂ、および一対の第三ブームピン受部１４２ｄを有する。
【００３２】
一対のシリンダピン受部１４２ａおよび一対の第一ブームピン受部１４２ｂはそれぞれ、先端ブーム要素１４１が有する一対のシリンダピン受部１４１ａおよび一対のブームピン受部１４１ｂとほぼ同様である。
【００３３】
一対の第三ブームピン受部１４２ｄは、一対の第一ブームピン受部１４２ｂよりも基端側に、互いに同軸に形成される。一対の第三ブームピン受部１４２ｄにはそれぞれ、ブーム連結ピン１４４ｂを挿通可能である。ブーム連結ピン１４４ｂは、中間ブーム要素１４２と基端ブーム要素１４３とを連結する。
【００３４】
また、中間ブーム要素１４２は、先端部に一対の第二ブームピン受部１４２ｃを有する。一対の第二ブームピン受部１４２ｃは、中間ブーム要素１４２の先端部に、互いに同軸に形成される。一対の第二ブームピン受部１４２ｃにはそれぞれ、一対のブーム連結ピン１４４ａを挿通可能である。
【００３５】
［アクチュエータについて］
以下、図３Ａ〜図１８Ｃを参照して、アクチュエータ２について説明する。アクチュエータ２は、上述したような伸縮式ブーム１４（図１、図２参照）を伸縮させるアクチュエータである。
【００３６】
まず、アクチュエータ２の概要について説明する。アクチュエータ２は、たとえば、隣り合って重なる先端ブーム要素１４１（内側ブーム要素ともいう。）および中間ブーム要素１４２（外側ブーム要素ともいう）のうちの先端ブーム要素１４１を伸縮方向に変位させる伸縮シリンダ３（伸縮用アクチュエータともいう。）と、伸縮シリンダ３に設けられた少なくとも一つの電動モータ４１（電気的駆動源ともいう。）と、電動モータ４１の動力に基づいて一対のシリンダ連結ピン４５４ａ、４５４ｂ（第一連結部材ともいう。）を変位させることにより、伸縮シリンダ３と先端ブーム要素１４１との連結状態と非連結状態とを切り換えるシリンダ連結機構４５（第一連結機構ともいう。）と、電動モータ４１の動力に基づいて一対のブーム連結ピン１４４ａ（第二連結部材ともいう。）を変位させることにより、先端ブーム要素１４１と中間ブーム要素１４２との連結状態と非連結状態とを切り換えるブーム連結機構４６（第二連結機構ともいう。）と、を備える。
【００３７】
つぎに、アクチュエータ２が備える各部の具体的構成について説明する。アクチュエータ２は、伸縮シリンダ３およびピン変位モジュール４を有する。アクチュエータ２は、伸縮式ブーム１４の収縮状態（図２Ａに示す状態）において、先端ブーム要素１４１の内部空間に配置される。
【００３８】
［伸縮シリンダについて］
伸縮シリンダ３は、ロッド部材３１（固定側部材ともいう。図２参照）およびシリンダ部材３２（可動側部材ともいう。）を有する。このような伸縮シリンダ３は、後述するシリンダ連結ピン４５４ａ、４５４ｂを介してシリンダ部材３２に連結されたブーム要素（たとえば、先端ブーム要素１４１または中間ブーム要素１４２）を伸縮方向に変位させる。伸縮シリンダ３は、従来から知られている伸縮シリンダとほぼ同様であるため、詳しい説明は省略する。
【００３９】
［ピン変位モジュールについて］
ピン変位モジュール４は、ハウジング４０、電動モータ４１、ブレーキ機構４２、伝達機構４３、位置情報検出装置４４、シリンダ連結機構４５、ブーム連結機構４６、およびロック機構４７を備える（図７参照）。
【００４０】
以下、アクチュエータ２を構成する各部材については、アクチュエータ２に組み込まれた状態を基準として説明する。また、アクチュエータ２の説明において、各図に示す直交座標系（Ｘ，Ｙ，Ｚ）を使用する。ただし、アクチュエータ２を構成する各部の配置は、本実施形態の配置に限定されない。
【００４１】
各図に示す直交座標系において、Ｘ方向は、移動式クレーン１に搭載された状態の伸縮式ブーム１４の伸縮方向に一致する。Ｘ方向＋側は、伸縮方向における伸長方向ともいう。その一方で、Ｘ方向−側は、伸縮方向における収縮方向ともいう。また、Ｚ方向は、たとえば、移動式クレーン１の上下方向に一致する。Ｙ方向は、たとえば、移動式クレーン１の車幅方向に一致する。ただし、Ｙ方向とＺ方向とは、互いに直交する２方向であれば上述の方向に限定されない。
【００４２】
［ハウジングについて］
ハウジング４０は、伸縮シリンダ３のシリンダ部材３２に固定される。ハウジング４０は、内部空間に、シリンダ連結機構４５およびブーム連結機構４６を収容する。また、ハウジング４０は、伝達機構４３を介して電動モータ４１を支持する。さらに、ハウジング４０は、後述するブレーキ機構４２も支持する。すなわち、ハウジング４０は、上述の各部材をユニット化する。このような構成は、ピン変位モジュール４の小型化、生産性の向上、およびシステムの信頼性の向上に寄与する。
【００４３】
具体的には、ハウジング４０は、箱状の第一ハウジング要素４００および箱状の第二ハウジング要素４０１を有する。
【００４４】
第一ハウジング要素４００は、内部空間に、後述するシリンダ連結機構４５を収容する。第一ハウジング要素４００には、ロッド部材３１がＸ方向に挿通される。第一ハウジング要素４００のＸ方向＋側（図４の左側および図７の右側）の側壁には、シリンダ部材３２の端部が固定される。第一ハウジング要素４００におけるＹ方向両側の側壁はそれぞれ、貫通孔４００ａ、４００ｂ（図３Ｂ、図７参照）を有する。
【００４５】
このような貫通孔４００ａ、４００ｂにはそれぞれ、シリンダ連結機構４５の一対のシリンダ連結ピン４５４ａ、４５４ｂが挿通される。
【００４６】
第二ハウジング要素４０１は、第一ハウジング要素４００のＺ方向＋側に設けられる。第二ハウジング要素４０１は、内部空間に、後述するブーム連結機構４６を収容する。第二ハウジング要素４０１には、後述する伝達機構４３の伝達軸４３２（図８参照）がＸ方向に挿通される。
【００４７】
第二ハウジング要素４０１のＹ方向両側の側壁はそれぞれ、貫通孔４０１ａ、４０１ｂ（図３Ｂ、図７参照）を有する。貫通孔４０１ａ、４０１ｂにはそれぞれ、ブーム連結機構４６の一対の第二ラックバー４６１ａ、４６１ｂが挿通される。
【００４８】
［電動モータについて］
電動モータ４１は、伝達機構４３の減速機４３１を介して、ハウジング４０に支持される。具体的には、電動モータ４１は、出力軸（図示省略）がＸ方向（シリンダ部材３２の長手方向ともいう。）に平行な状態で、シリンダ部材３２の周囲（たとえば、Ｚ方向＋側）かつ第二ハウジング要素４０１の周囲（たとえば、Ｘ方向−側）に配置される。このような配置は、Ｙ方向およびＺ方向におけるピン変位モジュール４の小型化を図れる。
【００４９】
以上のような電動モータ４１は、電力供給用のケーブルを介して、たとえば、旋回台１２に設けられた電源（図示省略）と接続される。また、電動モータ４１は、制御信号伝送用のケーブルを介して、たとえば、旋回台１２に設けられた制御部（図示省略）と接続される。
【００５０】
上述の各ケーブルは、伸縮式ブーム１４の基端部の外部または旋回台１２（図１参照）に設けられたコードリールにより、繰り出しおよび巻き取り可能である。
【００５１】
なお、従来構造の移動式クレーンは、シリンダ連結ピン４５４ａ、４５４ｂおよびブーム連結ピン１４４ａ、１４４ｂの位置検出用の近接センサ（図示省略）、およびこれら各近接センサ用の電力供給ケーブルおよび信号伝送ケーブルを有する。
【００５２】
このため、電動モータ４１への電力供給および信号伝送のために、新たな部材（たとえば、ケーブル、コードリールなど）を設ける必要はない。なお、本実施形態の場合、シリンダ連結ピン４５４ａ、４５４ｂおよびブーム連結ピン１４４ａ、１４４ｂの位置検出は、後述する位置情報検出装置により行う。このため、本実施形態において、上記近接センサは不要である。
【００５３】
また、電動モータ４１は、手動ハンドル（図示省略）により操作可能な手動操作部４１０（図３Ｂ参照）を備える。手動操作部４１０は、ピン変位モジュール４の状態遷移を、手動で行うためのものである。故障時などに、上記手動ハンドルにより手動操作部４１０を回すと、電動モータ４１の出力軸が回転してピン変位モジュール４の状態が遷移する。なお、本実施形態の場合、電気的駆動源は、単一の電動モータにより構成される。ただし、電気的駆動源は、複数（たとえば、２個）の電動モータにより構成されてもよい。
【００５４】
［ブレーキ機構について］
ブレーキ機構４２は、電動モータ４１に対して制動力を付与する。このようなブレーキ機構４２は、電動モータ４１が停止している状態において、電動モータ４１の出力軸の回転を阻止する。これにより、電動モータ４１が停止した状態において、ピン変位モジュール４の状態が維持される。また、ブレーキ機構４２は、制動時において、シリンダ連結機構４５またはブーム連結機構４６に所定の大きさの外力が作用した場合には、電動モータ４１の回転（つまり、滑り）を許容する。このような構成は、アクチュエータ２を構成する電動モータ４１および各ギヤなどの損傷の防止に効果的である。なお、このような構成を採用する場合には、ブレーキ機構４２として、たとえば、摩擦ブレーキを採用できる。上記外力における所定の大きさは、使用状況やアクチュエータ２の構成に応じて適宜決定される。
【００５５】
具体的には、ブレーキ機構４２は、後述するシリンダ連結機構４５の縮小状態またはブーム連結機構４６の縮小状態において作動して、シリンダ連結機構４５およびブーム連結機構４６の状態を維持する。
【００５６】
ブレーキ機構４２は、後述する伝達機構４３よりも前段に配置される。具体的には、ブレーキ機構４２は、電動モータ４１よりもＸ方向−側（つまり、電動モータ４１を中心として伝達機構４３と反対側）に、電動モータ４１の出力軸と同軸に配置される（図３Ｂ参照）。このような配置は、Ｙ方向およびＺ方向におけるピン変位モジュール４の小型化を図れる。なお、前段とは、電動モータ４１の動力がシリンダ連結機構４５またはブーム連結機構４６に伝達される伝達経路において、上流側（電動モータ４１に近い側）を意味する。一方、後段とは、電動モータ４１の動力がシリンダ連結機構４５またはブーム連結機構４６に伝達される伝達経路において、下流側（電動モータ４１から遠い側）を意味する。
【００５７】
また、ブレーキ機構４２を伝達機構４３（後述する減速機４３１）よりも前段に配置すれば、伝達機構４３よりも後段に配置する場合よりも必要なブレーキトルクが小さい。これによりブレーキ機構４２の小型化が図られる。
【００５８】
なお、ブレーキ機構４２は、機械式、電磁式などの各種ブレーキ装置であってよい。また、ブレーキ機構４２の位置は、本実施形態の位置に限定されない。
【００５９】
［伝達機構について］
伝達機構４３は、シリンダ連結機構４５およびブーム連結機構４６に、電動モータ４１の動力（つまり、回転運動）を伝達する。伝達機構４３は、減速機４３１および伝達軸４３２を有する（図８参照）。
【００６０】
減速機４３１は、電動モータ４１の回転を減速して伝達軸４３２に伝達する。減速機４３１は、たとえば、減速機ケース４３１ａに収容された遊星歯車機構であって、電動モータ４１の出力軸と同軸に設けられる。このような配置は、Ｙ方向およびＺ方向におけるピン変位モジュール４の小型化を図れる。
【００６１】
伝達軸４３２は、Ｘ方向−側の端部が、減速機４３１の出力軸（図示省略）に接続されている。この状態で、伝達軸４３２は、減速機４３１の出力軸とともに回転する。伝達軸４３２は、ハウジング４０（具体的には、第二ハウジング要素４０１）をＸ方向に挿通する。なお、伝達軸４３２は、減速機４３１の出力軸と一体であってもよい。
【００６２】
伝達軸４３２のＸ方向＋側の端部は、ハウジング４０よりもＸ方向＋側に突出する。伝達軸４３２のＸ方向＋側の端部には、後述する位置情報検出装置４４が設けられる。
【００６３】
［位置情報検出装置について］
位置情報検出装置４４は、電動モータ４１の出力（たとえば、出力軸の回転変位）に基づいて、一対のシリンダ連結ピン４５４ａ、４５４ｂおよび一対のブーム連結ピン１４４ａ（一対のブーム連結ピン１４４ｂでもよい。以下、同じ。）の位置に関する情報を検出する。位置に関する情報として、たとえば、一対のシリンダ連結ピン４５４ａ、４５４ｂまたは一対のブーム連結ピン１４４ａの基準位置からの変位量が挙げられる。
【００６４】
具体的には、位置情報検出装置４４は、一対のシリンダ連結ピン４５４ａ、４５４ｂと、ブーム要素（たとえば、先端ブーム要素１４１）の一対のシリンダピン受部１４１ａとの係合状態（たとえば、図２Ａに示す状態）または離脱状態（図２Ｅに示す状態）における、一対のシリンダ連結ピン４５４ａ、４５４ｂの位置に関する情報を検出する。
【００６５】
また、位置情報検出装置４４は、一対のブーム連結ピン１４４ａと、ブーム要素（たとえば、中間ブーム要素１４２）の一対の第一ブームピン受部１４２ｂ（一対の第二ブームピン受部１４２ｃでもよい。）との係合状態（たとえば、図２Ａ、図２Ｄに示す状態）または離脱状態（たとえば、図２Ｂに示す状態）における、一対のブーム連結ピン１４４ａの位置に関する情報を検出する。
【００６６】
このように検出された一対のシリンダ連結ピン４５４ａ、４５４ｂおよび一対のブーム連結ピン１４４ａ、１４４ｂの位置に関する情報は、たとえば、電動モータ４１の動作制御を含む、アクチュエータ２の各種制御に用いられる。
【００６７】
このような位置情報検出装置４４は、検出部４４ａおよび制御部４４ｂ（図１７Ａ、１８Ａ参照）を備える。
【００６８】
検出部４４ａは、たとえば、ロータリエンコーダであって、電動モータ４１の出力軸の回転変位に応じた情報（たとえば、パルス信号、コード信号）を出力する。ロータリエンコーダの出力方式は特に限定されず、測定開始位置からの回転変位量（回転角度）に応じたパルス信号（相対角度信号）を出力するインクリメンタル方式でもよいし、基準点に対して絶対的な角度位置に対応したコード信号（絶対角度信号）を出力するアブソリュート方式でもよい。
【００６９】
検出部４４ａがアブソリュート方式のロータリエンコーダであれば、制御部４４ｂが、非通電状態から通電状態に復帰した場合でも、位置情報検出装置４４は、一対のシリンダ連結ピン４５４ａ、４５４ｂおよび一対のブーム連結ピン１４４ａの位置に関する情報を検出できる。
【００７０】
検出部４４ａは、電動モータ４１の出力軸、または当該出力軸とともに回転する回転部材（たとえば、回転軸、ギヤなど）に設けられる。具体的には、本実施形態の場合、検出部４４ａは、伝達軸４３２（回転部材ともいう。）のＸ方向＋側の端部に設けられる。換言すれば、本実施形態の場合、検出部４４ａは、減速機４３１よりも後段（つまり、Ｘ方向＋側）に設けられる。
【００７１】
本実施形態の場合、検出部４４ａは、伝達軸４３２の回転変位に応じた情報を出力する。伝達軸４３２の回転数（回転速度）は、電動モータ４１の回転数（回転速度）が減速機４３１により減速されたものである。本実施形態の場合、検出部４４ａとして、伝達軸４３２の回転数（回転速度）に対して十分な分解能が得られるロータリエンコーダを採用する。なお、伝達軸４３２には、後述するシリンダ連結機構４５の第一欠歯歯車４５０、および、ブーム連結機構４６の第二欠歯歯車４６０が固定されているため、検出部４４ａが出力する情報は、第一欠歯歯車４５０および第二欠歯歯車４６０の回転変位に応じた情報でもある。
【００７２】
以上のような構成を有する検出部４４ａは、電動モータ４１の出力軸の回転変位に応じた情報を、制御部４４ｂに送出する。当該情報を受信した制御部４４ｂは、受信した情報に基づいて一対のシリンダ連結ピン４５４ａ、４５４ｂまたは一対のブーム連結ピン１４４ａの位置に関する情報を算出する。そして、制御部４４ｂは、算出結果に基づいて、電動モータ４１を制御する。
【００７３】
制御部４４ｂは、たとえば、入力端子、出力端子、ＣＰＵ、およびメモリなどで構成された車載コンピュータである。制御部４４ｂは、検出部４４ａの出力に基づいて、一対のシリンダ連結ピン４５４ａ、４５４ｂまたはブーム連結ピン１４４ａの位置に関する情報を算出する。
【００７４】
具体的には、たとえば、制御部４４ｂは、検出部４４ａの出力と、一対のシリンダ連結ピン４５４ａ、４５４ｂおよび一対のブーム連結ピン１４４ａの位置に関する情報（たとえば、基準位置からの変位量）との相関関係を示すデータ（テーブル、マップなど）を用いて、上記位置に関する情報を算出する。
【００７５】
検出部４４ａの出力がコード信号である場合には、各コード信号と、一対のシリンダ連結ピン４５４ａ、４５４ｂおよび一対のブーム連結ピン１４４ａにおける基準位置からの変位量との相関関係を示すデータ（テーブル、マップなど）に基づいて、上記位置に関する情報を算出する。
【００７６】
以上のような制御部４４ｂは、旋回台１２に設けられる。ただし、制御部４４ｂが設けられる位置は、旋回台１２に限定されない。制御部４４ｂは、たとえば、検出部４４ａが配置されたケース（図示省略）に設けられてもよい。
【００７７】
なお、検出部４４ａの位置は、本実施形態の位置に限定されない。たとえば、検出部４４ａは、減速機４３１よりも前段（つまり、Ｘ方向−側）に配置されてもよい。すなわち、検出部４４ａは、減速機４３１により減速される前の電動モータ４１の回転に基づいて、制御部４４ｂに送出する情報を取得してもよい。検出部４４ａを減速機４３１の前段に配置する構成は、検出部４４ａを減速機４３１の後段に配置する構成よりも分解能が高くなる。なお、この場合には、検出部４４ａは、ブレーキ機構４２よりもＸ方向＋側またはＸ方向−側に配置されてもよい。
【００７８】
また、検出部４４ａは、上述のロータリエンコーダに限定されない。たとえば、検出部４４ａは、リミットスイッチでもよい。リミットスイッチは、減速機４３２よりも後段に配置される。このようなリミットスイッチは、電動モータ４１の出力に基づいて機械的に作動する。あるいは、検出部４４ａは、近接センサでもよい。近接センサは、減速機４３２よりも後段に配置される。また、近接センサは、電動モータ４１の出力に基づいて回転する部材に対向して配置される。このような近接センサは、上記回転する部材との距離に基づいて信号を出力する。そして、制御部４４ｂは、リミットスイッチまたは近接センサの出力に基づいて、電動モータ４１の動作を制御する。
【００７９】
［シリンダ連結機構について］
シリンダ連結機構４５は、電動モータ４１の動力（つまり、回転運動）に基づいて作動し、拡張状態（第一状態ともいう。図８、図１２参照）と、縮小状態（第二状態ともいう。図１３参照）との間を状態遷移する。
【００８０】
拡張状態において、後述する一対のシリンダ連結ピン４５４ａ、４５４ｂと、ブーム要素（たとえば、先端ブーム要素１４１）の一対のシリンダピン受部１４１ａとが、係合状態（シリンダピンの入り状態ともいう。）となる。当該係合状態において、ブーム要素とシリンダ部材３２とが連結状態となる。
【００８１】
一方、縮小状態において、一対のシリンダ連結ピン４５４ａ、４５４ｂと、一対のシリンダピン受部１４１ａ（図２参照）とが離脱状態（図２Ｅに示す状態であって、シリンダピンの抜き状態ともいう。）となる。当該離脱状態において、ブーム要素とシリンダ部材３２とが非連結状態となる。
【００８２】
以下、シリンダ連結機構４５の具体的構成について説明する。シリンダ連結機構４５は、第一欠歯歯車４５０、第一ラックバー４５１、第一歯車機構４５２、第二歯車機構４５３、一対のシリンダ連結ピン４５４ａ、４５４ｂ、および第一付勢機構４５５を備える。なお、本実施形態の場合、シリンダ連結機構４５に、一対のシリンダ連結ピン４５４ａ、４５４ｂが組み込まれている。ただし、一対のシリンダ連結ピン４５４ａ、４５４ｂは、シリンダ連結機構４５から独立して設けられてもよい。
【００８３】
［第一欠歯歯車について］
第一欠歯歯車４５０（スイッチギヤともいう。）は、略円輪板状であって、外周面の一部に第一歯部４５０ａ（図９参照）を有する。第一欠歯歯車４５０は、伝達軸４３２に外嵌固定され、伝達軸４３２とともに回転する。
【００８４】
このような第一欠歯歯車４５０は、ブーム連結機構４６の第二欠歯歯車４６０（図８参照）とともにスイッチギヤを構成する。スイッチギヤは、電動モータ４１の動力を、シリンダ連結機構４５とブーム連結機構４６とのうちの何れか一方の連結機構に択一的に伝達する。
【００８５】
なお、本実施形態の場合、スイッチギヤである第一欠歯歯車４５０および第二欠歯歯車４６０はそれぞれ、第一連結機構であるシリンダ連結機構４５および第二連結機構であるブーム連結機構４６に組み込まれている。ただし、スイッチギヤは、第一連結機構および第二連結機構から独立して設けられてもよい。
【００８６】
以下の説明において、シリンダ連結機構４５が、拡張状態（図８、図１２参照）から縮小状態（図１３参照）に状態遷移する際の、第一欠歯歯車４５０の回転方向（図１７Ａに矢印Ｆ１で示す方向）が、第一欠歯歯車４５０の回転方向における「前側」である。
【００８７】
その一方で、縮小状態から拡張状態に状態遷移する際の、第一欠歯歯車４５０の回転方向が、第一欠歯歯車４５０の回転方向における「後側」である。
【００８８】
第一歯部４５０ａを構成する凸部のうち、第一欠歯歯車４５０の回転方向における最も前側に設けられた凸部が、位置決め歯（図示省略）である。
【００８９】
［第一ラックバーについて］
第一ラックバー４５１は、第一欠歯歯車４５０の回転に応じて自身の長手方向（Ｙ方向ともいう。）に変位する。第一ラックバー４５１は拡張状態（図８、図１２参照）において、最もＹ方向−側に位置する。その一方で、第一ラックバー４５１は、縮小状態（図１３参照）において、最もＹ方向＋側に位置する。
【００９０】
拡張状態から縮小状態に状態遷移する際、第一欠歯歯車４５０が回転方向における前側に回転すると、第一ラックバー４５１は、Ｙ方向＋側（長手方向における一方ともいう。）に変位する。
【００９１】
その一方で、縮小状態から拡張状態に状態遷移する際、第一欠歯歯車４５０が回転方向における後側に回転すると、第一ラックバー４５１は、Ｙ方向−側（長手方向における他方ともいう。）に変位する。以下、第一ラックバー４５１の具体的構成について説明する。
【００９２】
第一ラックバー４５１は、たとえばＹ方向に長い軸部材であって、第一欠歯歯車４５０とロッド部材３１との間に配置される。この状態で、第一ラックバー４５１の長手方向は、Ｙ方向に一致する。
【００９３】
第一ラックバー４５１は、第一欠歯歯車４５０に近い側（Ｚ方向＋側ともいう。）の面に、第一ラック歯部４５１ａ（図８参照）を有する。第一ラック歯部４５１ａは、上述の状態遷移の際にのみ、第一欠歯歯車４５０の第一歯部４５０ａと噛合する。
【００９４】
図８および図１０に示す拡張状態において、第一ラック歯部４５１ａにおけるＹ方向＋側の第一端面（図示省略）は、第一欠歯歯車４５０の第一歯部４５０ａにおける位置決め歯（図示省略）と当接、または僅かな隙間を介してＹ方向に対向する。
【００９５】
拡張状態において、第一欠歯歯車４５０が回転方向における前側に回転すると、位置決め歯４５０ｂが第一端面４５１ｄをＹ方向＋側に押し付けて、第一ラックバー４５１がＹ方向＋側に変位する。
【００９６】
すると、第一歯部４５０ａにおいて位置決め歯よりも回転方向における後側に存在する歯部が、第一ラック歯部４５１ａと噛合する。この結果、第一ラックバー４５１は、第一欠歯歯車４５０の回転に応じてＹ方向＋側に変位する。
【００９７】
なお、図８に示す拡張状態から、第一欠歯歯車４５０が回転方向における後側に回転した場合には、第一ラック歯部４５１ａと第一欠歯歯車４５０の第一歯部４５０ａとは噛合しない。
【００９８】
また、第一ラックバー４５１は、第一欠歯歯車４５０から遠い側（Ｚ方向−側ともいう。）の面に、第二ラック歯部４５１ｂおよび第三ラック歯部４５１ｃ（図８参照）を有する。第二ラック歯部４５１ｂは、後述する第一歯車機構４５２と噛合する。その一方で、第三ラック歯部４５１ｃは、後述する第二歯車機構４５３と噛合する。
【００９９】
［第一歯車機構について］
第一歯車機構４５２は、それぞれが平歯車である複数（本実施形態の場合、３個）の歯車要素４５２ａ、４５２ｂ、４５２ｃ（図８参照）からなる。具体的には、入力歯車である歯車要素４５２ａは、第一ラックバー４５１の第二ラック歯部４５１ｂおよび歯車要素４５２ｂと噛合する。拡張状態（図８、図１２参照）において、歯車要素４５２ａは、第一ラックバー４５１の第二ラック歯部４５１ｂにおけるＹ方向＋側の端部または端部寄り部分の歯部と噛合する。
【０１００】
中間歯車である歯車要素４５２ｂは、歯車要素４５２ａおよび歯車要素４５２ｃと噛合する。
【０１０１】
出力歯車である歯車要素４５２ｃは、歯車要素４５２ｂおよび後述する一方のシリンダ連結ピン４５４ａのピン側ラック歯部４５４ｃと噛合する。拡張状態において、歯車要素４５２ｃは、一方のシリンダ連結ピン４５４ａのピン側ラック歯部４５４ｃ（図８参照）におけるＹ方向−側の端部と噛合する。なお、歯車要素４５２ｃは、歯車要素４５２ａと同方向に回転する。
【０１０２】
［第二歯車機構について］
第二歯車機構４５３は、それぞれが平歯車である複数（本実施形態の場合、２個）の歯車要素４５３ａ、４５３ｂ（図８参照）からなる。具体的には、入力歯車である歯車要素４５３ａは、第一ラックバー４５１の第三ラック歯部４５１ｃおよび歯車要素４５３ｂと噛合する。拡張状態において、歯車要素４５３ａは、第一ラックバー４５１の第三ラック歯部４５１ｃにおけるＹ方向＋側の端部と噛合している。
【０１０３】
出力歯車である歯車要素４５３ｂは、歯車要素４５３ａおよび後述する他方のシリンダ連結ピン４５４ｂのピン側ラック歯部４５４ｄ（図８参照）と噛合している。拡張状態において、歯車要素４５３ｂは、他方のシリンダ連結ピン４５４ｂのピン側ラック歯部４５４ｄにおけるＹ方向＋側の端部と噛合している。歯車要素４５３ｂは、歯車要素４５３ａと反対方向に回転する。
【０１０４】
以上のように、本実施形態の場合、第一歯車機構４５２の歯車要素４５２ｃの回転方向と、第二歯車機構４５３の歯車要素４５３ｂの回転方向とが反対方向となる。
【０１０５】
［シリンダ連結ピンについて］
一対のシリンダ連結ピン４５４ａ、４５４ｂはそれぞれ、中心軸がＹ方向に一致し、かつ、互いに同軸である。以下、一対のシリンダ連結ピン４５４ａ、４５４ｂの説明において、先端部とは互いに遠い側の端部であり、基端部とは互いに近い側の端部である。
【０１０６】
一対のシリンダ連結ピン４５４ａ、４５４ｂはそれぞれ、外周面にピン側ラック歯部４５４ｃ、４５４ｄ（図８参照）を有する。一方（Ｙ方向＋側ともいう。）のシリンダ連結ピン４５４ａのピン側ラック歯部４５４ｃは、第一歯車機構４５２の歯車要素４５２ｃと噛合する。
【０１０７】
一方のシリンダ連結ピン４５４ａは、第一歯車機構４５２における歯車要素４５２ｃの回転にともない、自身の軸方向（つまり、Ｙ方向）に変位する。具体的には、一方のシリンダ連結ピン４５４ａは、縮小状態から拡張状態に状態遷移する際にＹ方向＋側に変位する。その一方で、一方のシリンダ連結ピン４５４ａは、拡張状態から縮小状態に状態遷移する際にＹ方向−側に変位する。
【０１０８】
他方（Ｙ方向−側ともいう。）のシリンダ連結ピン４５４ｂのピン側ラック歯部４５４ｄは、第二歯車機構４５３の歯車要素４５３ｂと噛合する。他方のシリンダ連結ピン４５４ｂは、第二歯車機構４５３における歯車要素４５３ｂの回転にともない、自身の軸方向（つまり、Ｙ方向）に変位する。
【０１０９】
具体的には、他方のシリンダ連結ピン４５４ｂは、縮小状態から拡張状態に状態遷移する際、Ｙ方向−側に変位する。その一方で、他方のシリンダ連結ピン４５４ｂは、拡張状態から縮小状態に状態遷移する際、Ｙ方向＋側に変位する。つまり、上述の状態遷移において、一対のシリンダ連結ピン４５４ａ、４５４ｂは、Ｙ方向において互いに反対方向に変位する。
【０１１０】
一対のシリンダ連結ピン４５４ａ、４５４ｂはそれぞれ、第一ハウジング要素４００の貫通孔４００ａ、４００ｂに挿通される。この状態で、一対のシリンダ連結ピン４５４ａ、４５４ｂの先端部はそれぞれ、第一ハウジング要素４００の外部に突出する。
【０１１１】
［第一付勢機構について］
第一付勢機構４５５は、シリンダ連結機構４５の縮小状態において、電動モータ４１が非通電状態となった場合に、シリンダ連結機構４５を拡張状態に自動復帰させる。このために、第一付勢機構４５５は、一対のシリンダ連結ピン４５４ａ、４５４ｂを、互いに離れる方向に付勢する。
【０１１２】
具体的には、第一付勢機構４５５は、一対のコイルばね４５５ａ、４５５ｂ（図８参照）により構成される。一対のコイルばね４５５ａ、４５５ｂはそれぞれ、一対のシリンダ連結ピン４５４ａ、４５４ｂを、先端側に向けて付勢する。
【０１１３】
なお、ブレーキ機構４２が作動している場合には、シリンダ連結機構４５は自動復帰しない。
【０１１４】
［シリンダ連結機構の動作のまとめ］
図１７Ａ〜図１７Ｃを参照しつつ、上述のシリンダ連結機構４５の動作の一例について簡単に説明する。図１７Ａ〜図１７Ｃは、シリンダ連結機構４５の動作を説明するための模式図である。図１７Ａは、シリンダ連結機構４５の拡張状態、かつ、一対のシリンダ連結ピン４５４ａ、４５４ｂと先端ブーム要素１４１の一対のシリンダピン受部１４１ａとの係合状態を示す模式図である。図１７Ｂは、シリンダ連結機構４５が拡張状態から縮小状態へ状態遷移する途中の状態を示す模式図である。さらに、図１７Ｃは、シリンダ連結機構４５の縮小状態、かつ、一対のシリンダ連結ピン４５４ａ、４５４ｂと先端ブーム要素１４１の一対のシリンダピン受部１４１ａとの離脱状態を示す模式図である。
【０１１５】
上述のようなシリンダ連結機構４５は、電動モータ４１の動力（つまり、回転運動）に基づいて、拡張状態（図８、図１２、図１７Ａ参照）と、縮小状態（図１３、図１７Ｃ参照）との間を状態遷移する。以下、図１７Ａ〜図１７Ｃを参照しつつ、シリンダ連結機構４５が、拡張状態から縮小状態に状態遷移する際の各部の動作を説明する。なお、図１７Ａ〜図１７Ｃにおいて、第一欠歯歯車４５０と第二欠歯歯車４６０とは、一体型欠歯歯車として模式的に示される。以下、説明の便宜のため、この一体型欠歯歯車を、第一欠歯歯車４５０として説明する。また、図１７Ａ〜図１７Ｃにおいて、後述するロック機構４７は省略される。
【０１１６】
拡張状態から縮小状態への状態遷移の際、電動モータ４１の動力は、以下の第一経路および第二経路で一対のシリンダ連結ピン４５４ａ、４５４ｂに伝達される。
【０１１７】
第一経路は、第一欠歯歯車４５０→第一ラックバー４５１→第一歯車機構４５２→一方のシリンダ連結ピン４５４ａの経路である。
【０１１８】
その一方で、第二経路は、第一欠歯歯車４５０→第一ラックバー４５１→第二歯車機構４５３→他方のシリンダ連結ピン４５４ｂの経路である。
【０１１９】
具体的には、まず、第一経路および第二経路において、電動モータ４１の動力に基づいて、第一欠歯歯車４５０が回転方向の前側（図１７Ａに矢印Ｆ１で示す方向）に回転する。
【０１２０】
第一経路および第二経路において、第一欠歯歯車４５０が回転方向の前側に回転すると、当該回転に応じて、第一ラックバー４５１がＹ方向＋側（図１７Ａ〜図１７Ｃの右側）に変位する。
【０１２１】
そして、第一経路において、第一ラックバー４５１がＹ方向＋側に変位すると、第一歯車機構４５２を介して、一方のシリンダ連結ピン４５４ａがＹ方向−側（図１７Ａ〜図１７Ｃの左側）に変位する。
【０１２２】
その一方で、第二経路において、第一ラックバー４５１がＹ方向＋側に変位すると、第二歯車機構４５３を介して、他方のシリンダ連結ピン４５４ｂがＹ方向＋側に変位する。つまり、拡張状態から縮小状態への状態遷移の際、一方のシリンダ連結ピン４５４ａと他方のシリンダ連結ピン４５４ｂとが互いに近づく方向に変位する。
【０１２３】
位置情報検出装置４４は、一対のシリンダ連結ピン４５４ａ、４５４ｂが、先端ブーム要素１４１の一対のシリンダピン受部１４１ａから離脱し、かつ、所定の位置（たとえば、図２Ｅ、図１７Ｃに示す位置）まで変位したことを検出する。そして、検出結果に基づいて、制御部４４ｂは、電動モータ４１の動作を停止する。
【０１２４】
なお、縮小状態から拡張状態への状態遷移（つまり、図１７Ｃから図１７Ａへの状態遷移）は、電動モータ４１の非通電状態においてブレーキ機構４２が解除されると、第一付勢機構４５５の付勢力に基づいて自動的に行われる。この際、一方のシリンダ連結ピン４５４ａと他方のシリンダ連結ピン４５４ｂとが互いに離れる方向に変位する。位置情報検出装置４４は、一対のシリンダ連結ピン４５４ａ、４５４ｂが、先端ブーム要素１４１の一対のシリンダピン受部１４１ａに係合し、かつ、所定の位置（たとえば、図２Ａ、図１７Ａに示す位置）まで変位したことを検出する。検出結果は、アクチュエータ２における次の動作の制御に用いられる。
【０１２５】
［ブーム連結機構について］
ブーム連結機構４６は、電動モータ４１の回転に基づいて、拡張状態（第一状態ともいう。図８、図１３参照）と、縮小状態（第二状態ともいう。図１２参照）との間を状態遷移する。
【０１２６】
ブーム連結機構４６は、拡張状態において、ブーム連結ピン（たとえば、一対のブーム連結ピン１４４ａ）に対する係合状態および離脱状態の何れか一方の状態をとる。
【０１２７】
ブーム連結機構４６は、ブーム連結ピンと係合した状態で、拡張状態から縮小状態に状態遷移することにより、ブーム連結ピンをブーム要素から離脱させる。
【０１２８】
また、ブーム連結機構４６は、ブーム連結ピンと係合した状態で、縮小状態から拡張状態に状態遷移することにより、ブーム連結ピンをブーム要素に係合する。
【０１２９】
以下、ブーム連結機構４６の具体的構成について説明する。ブーム連結機構４６は、第二欠歯歯車４６０（図８参照）、一対の第二ラックバー４６１ａ、４６１ｂ、同期歯車４６２（図１７Ａ〜図１７Ｃ参照）、および第二付勢機構４６３を備える。
【０１３０】
［第二欠歯歯車について］
第二欠歯歯車４６０（スイッチギヤともいう。）は、略円輪板状であって、外周面における周方向の一部に第二歯部４６０ａを有する。
【０１３１】
第二欠歯歯車４６０は、伝達軸４３２において、第一欠歯歯車４５０よりもＸ方向＋側に外嵌固定され、伝達軸４３２とともに回転する。なお、第二欠歯歯車４６０は、たとえば、図１４Ａ〜図１４Ｄに示す模式図のように、第一欠歯歯車４５０と一体の欠歯歯車であってもよい。
【０１３２】
以下、ブーム連結機構４６が拡張状態（図８、図１３参照）から縮小状態（図１２参照）に状態遷移する際の、第二欠歯歯車４６０の回転方向（図８に矢印Ｆ２で示す方向）が、第二欠歯歯車４６０の回転方向における「前側」である。
【０１３３】
その一方で、縮小状態から拡張状態に状態遷移する際の、第二欠歯歯車４６０の回転方向（図８に矢印Ｒ２で示す方向）が、第二欠歯歯車４６０の回転方向における「後側」である。
【０１３４】
第二歯部４６０ａを構成する凸部のうち、第二欠歯歯車４６０の回転方向における最も前側に設けられた凸部が、位置決め歯４６０ｂ（図８参照）である。
【０１３５】
なお、図８は、Ｘ方向＋側からピン変位モジュール４を見た図である。したがって、本実施形態の場合、第二欠歯歯車４６０の回転方向における前後方向は、第一欠歯歯車４５０の回転方向における前後方向とは逆である。
【０１３６】
つまり、ブーム連結機構４６が拡張状態から縮小状態に状態遷移する際の第二欠歯歯車４６０の回転方向は、シリンダ連結機構４５が拡張状態から縮小状態に状態遷移する際の第一欠歯歯車４５０の回転方向と逆である。
【０１３７】
［第二ラックバーについて］
一対の第二ラックバー４６１ａ、４６１ｂはそれぞれ、第二欠歯歯車４６０の回転にともなってＹ方向（軸方向ともいう。）に変位する。一方（Ｘ方向＋側ともいう。）の第二ラックバー４６１ａと他方（Ｘ方向−側ともいう。）の第二ラックバー４６１ｂとは互いに、Ｙ方向において反対方向に変位する。
【０１３８】
一方の第二ラックバー４６１ａは、拡張状態において、最もＹ方向−側に位置する。他方の第二ラックバー４６１ｂは、拡張状態において、最もＹ方向＋側に位置する。
【０１３９】
また、一方の第二ラックバー４６１ａは、縮小状態において、最もＹ方向＋側に位置する。他方の第二ラックバー４６１ｂは、縮小状態において、最もＹ方向−側に位置する。
【０１４０】
なお、一方の第二ラックバー４６１ａのＹ方向＋側への変位、および、他方の第二ラックバー４６１ｂのＹ方向−側への変位は、たとえば、ハウジング４０に設けられたストッパ面４８（図１４Ｄ参照）との当接により規制される。
【０１４１】
以下、一対の第二ラックバー４６１ａ、４６１ｂの具体的構成について説明する。一対の第二ラックバー４６１ａ、４６１ｂはそれぞれ、たとえばＹ方向に長い軸部材であって、互いに平行に配置される。一対の第二ラックバー４６１ａ、４６１ｂはそれぞれ、第一ラックバー４５１よりもＺ方向＋側に配置される。また、一対の第二ラックバー４６１ａ、４６１ｂ同士は、Ｘ方向において、後述する同期歯車４６２を中心に配置される。このような一対の第二ラックバー４６１ａ、４６１ｂはそれぞれ、長手方向がＹ方向に一致する。
【０１４２】
一対の第二ラックバー４６１ａ、４６１ｂはそれぞれ、Ｘ方向に対向する側面に同期用ラック歯部４６１ｅ、４６１ｆ（図１７Ａ〜図１７Ｃ参照）を有する。同期用ラック歯部４６１ｅ、４６１ｆはそれぞれ、同期歯車４６２に噛合する。
【０１４３】
換言すれば、同期用ラック歯部４６１ｅ、４６１ｆ同士は、同期歯車４６２を介して噛合する。この構成により、一方の第二ラックバー４６１ａと他方の第二ラックバー４６１ｂとが、Ｙ方向において反対方向に変位する。
【０１４４】
一対の第二ラックバー４６１ａ、４６１ｂはそれぞれ、先端部に、係止爪部４６１ｇ、４６１ｈ（係止部ともいう。図８参照）を有する。このような係止爪部４６１ｇ、４６１ｈは、ブーム連結ピン１４４ａ、１４４ｂを変位させる際、ブーム連結ピン１４４ａ、１４４ｂに設けられたピン側受部１４４ｃ（図８参照）に係合する。
【０１４５】
一方の第二ラックバー４６１ａは、第二欠歯歯車４６０に近い側（Ｚ方向−側ともいう。）の面に、駆動用ラック歯部４６１ｃ（図８参照）を有する。駆動用ラック歯部４６１ｃは、第二欠歯歯車４６０の第二歯部４６０ａと噛合する。
【０１４６】
拡張状態（図８参照）で、駆動用ラック歯部４６１ｃにおけるＹ方向＋側の第一端面４６１ｄは、第二欠歯歯車４６０の第二歯部４６０ａにおける位置決め歯４６０ｂと当接、または僅かな隙間を介してＹ方向に対向する。
【０１４７】
拡張状態から、第二欠歯歯車４６０が回転方向における前側に回転すると、位置決め歯４６０ｂが第一端面４６１ｄをＹ方向＋側に押し付ける。このような押付にともない、一方の第二ラックバー４６１ａがＹ方向＋側に変位する。
【０１４８】
一方の第二ラックバー４６１ａがＹ方向＋側に変位すると、同期歯車４６２が回転して、他方の第二ラックバー４６１ｂがＹ方向−側（つまり、一方の第二ラックバー４６１ａと反対側）に変位する。
【０１４９】
［第二付勢機構について］
第二付勢機構４６３は、ブーム連結機構４６の縮小状態において、電動モータ４１が非通電状態となった場合に、ブーム連結機構４６を拡張状態に自動復帰させる。なお、ブレーキ機構４２が作動している場合には、ブーム連結機構４６は自動復帰しない。
【０１５０】
このために第二付勢機構４６３は、一対の第二ラックバー４６１ａ、４６１ｂを、互いに離れる方向に付勢する。具体的には、第二付勢機構４６３は、一対のコイルばね４６３ａ、４６３ｂ（図１７Ａ〜１７Ｃ参照）により構成される。一対のコイルばね４６３ａ、４６３ｂはそれぞれ、一対の第二ラックバー４６１ａ、４６１ｂの基端部を、先端側に向けて付勢する。
【０１５１】
［ブーム連結機構の動作のまとめ］
図１８Ａ〜図１８Ｃを参照しつつ、上述のブーム連結機構４６の動作の一例について簡単に説明する。図１８Ａ〜図１８Ｃは、ブーム連結機構４６の動作を説明するための模式図である。図１８Ａは、ブーム連結機構４６の拡張状態、かつ、一対のブーム連結ピン１４４ａと中間ブーム要素１４２の一対の第一ブームピン受部１４２ｂとの係合状態を示す模式図である。図１８Ｂは、ブーム連結機構４６が拡張状態から縮小状態へ状態遷移する途中の状態を示す模式図である。さらに、図１８Ｃは、ブーム連結機構４６の縮小状態、かつ、一対のブーム連結ピン１４４ａと中間ブーム要素１４２の一対の第一ブームピン受部１４２ｂとの離脱状態を示す模式図である。
【０１５２】
上述のようなブーム連結機構４６は、電動モータ４１の動力（つまり、回転運動）に基づいて、拡張状態（図１８Ａ参照）と、縮小状態（図１８Ｃ参照）との間を状態遷移する。以下、図１８Ａ〜図１８Ｃを参照しつつ、ブーム連結機構４６が、拡張状態から縮小状態に状態遷移する際の各部の動作を説明する。なお、図１８Ａ〜図１８Ｃにおいて、第一欠歯歯車４５０と第二欠歯歯車４６０とは、一体型欠歯歯車として模式的に示される。以下、説明の便宜のため、この一体型欠歯歯車を、第二欠歯歯車４６０として説明する。また、図１８Ａ〜図１８Ｃにおいて、後述するロック機構４７は省略される。
【０１５３】
拡張状態から縮小状態への状態遷移の際、電動モータ４１の動力（つまり、回転運動）は、第二欠歯歯車４６０→一方の第二ラックバー４６１ａ→同期歯車４６２→他方の第二ラックバー４６１ｂの経路で伝達される。
【０１５４】
まず、上記経路において、電動モータ４１の動力に基づいて、第二欠歯歯車４６０が回転方向の前側（図８に矢印Ｆ２で示す方向）に回転する。
【０１５５】
第二欠歯歯車４６０が回転方向の前側に回転すると、当該回転に応じて、一方の第二ラックバー４６１ａがＹ方向＋側（図１８Ａ〜図１８Ｃの右側）に変位する。
【０１５６】
すると、一方の第二ラックバー４６１ａのＹ方向＋側への変位に応じて、同期歯車４６２が回転する。そして、同期歯車４６２の回転に応じて、他方の第二ラックバー４６１ｂがＹ方向−側（図１８Ａ〜図１８Ｃの左側）に変位する。
【０１５７】
一対の第二ラックバー４６１ａ、４６１ｂが一対のブーム連結ピン１４４ａと係合した状態で、拡張状態から縮小状態に状態遷移すると、一対のブーム連結ピン１４４ａは、中間ブーム要素１４２の一対の第一ブームピン受部１４２ｂから離脱する（図１８Ｃ参照）。
【０１５８】
位置情報検出装置４４は、一対のブーム連結ピン１４４ａが、中間ブーム要素１４２の一対の第一ブームピン受部１４２ｂから離脱し、かつ、所定の位置（たとえば、図２Ｂ、図１８Ｃに示す位置）まで変位したことを検出する。そして、この検出結果に基づいて、制御部４４ｂは、電動モータ４１の動作を停止する。
【０１５９】
なお、縮小状態から拡張状態への状態遷移（つまり、図１８Ｃから図１８Ａへの状態遷移）は、電動モータ４１の非通電状態においてブレーキ機構４２が解除されると、第二付勢機構４６３の付勢力に基づいて自動的に行われる。この際、一対のブーム連結ピン１４４ａ同士が互いに離れる方向に変位する。位置情報検出装置４４は、一対のブーム連結ピン１４４ａが、中間ブーム要素１４２の一対の第一ブームピン受部１４２ｂに係合し、かつ、所定の位置（たとえば、図２Ａ、図１８Ａに示す位置）まで変位したことを検出する。検出結果は、アクチュエータ２における次の動作の制御に用いられる。
【０１６０】
また、本実施形態の場合、一つのブーム要素（たとえば、先端ブーム要素１４１）において、シリンダ連結ピンの抜き状態とブーム連結ピンの抜き状態とが同時に実現することを防止している。
【０１６１】
このためにシリンダ連結機構４５の状態遷移と、ブーム連結機構４６の状態遷移とが同時に起こらないようにしている。
【０１６２】
具体的には、シリンダ連結機構４５において第一欠歯歯車４５０の第一歯部４５０ａが、第一ラックバー４５１の第一ラック歯部４５１ａと噛合している場合には、ブーム連結機構４６において第二欠歯歯車４６０の第二歯部４６０ａが、一方の第二ラックバー４６１ａの駆動用ラック歯部４６１ｃと噛合しない構成としている。
【０１６３】
また、反対に、ブーム連結機構４６において第二欠歯歯車４６０の第二歯部４６０ａが、一方の第二ラックバー４６１ａの駆動用ラック歯部４６１ｃと噛合している場合には、シリンダ連結機構４５において第一欠歯歯車４５０の第一歯部４５０ａが、第一ラックバー４５１の第一ラック歯部４５１ａと噛合しない構成としている。
【０１６４】
［ロック機構について］
以上のように、本実施形態に係るアクチュエータ２は、ブーム連結機構４６およびシリンダ連結機構４５の構成に基づいて、一つのブーム要素（たとえば、先端ブーム要素１４１）において、シリンダ連結ピンの抜き状態とブーム連結ピンの抜き状態とが、同時に実現されない。このような構成は、電動モータ４１の動力に基づいて、ブーム連結機構４６とシリンダ連結機構４５とが同時に作動することを防止する。
【０１６５】
このような構成とともに、本実施形態に係るアクチュエータ２は、シリンダ連結機構４５（たとえば、第一ラックバー４５１）またはブーム連結機構４６（たとえば、第二ラックバー４６１ａ）に、電動モータ４１以外の外力が作用した場合に、シリンダ連結機構４５とブーム連結機構４６とが同時に状態遷移することを防止するロック機構４７を備える。
【０１６６】
このようなロック機構４７は、ブーム連結機構４６とシリンダ連結機構４５とのうちの一方の連結機構が作動している状態において、他方の連結機構の作動を阻止する。以下、ロック機構４７の具体的構造について、図１４Ａ〜図１４Ｄを参照して説明する。なお、図１４Ａ〜図１４Ｄは、ロック機構４７の構造を説明するための模式図である。
【０１６７】
また、図１４Ａ〜図１４Ｄにおいて、シリンダ連結機構４５の第一欠歯歯車４５０と、ブーム連結機構４６の第二欠歯歯車４６０とを一体に形成した一体型欠歯歯車４９（スイッチギヤともいう。）により構成される。このような一体型欠歯歯車４９は、略円輪板状であって、外周面の一部に歯部４９ａを有する。その他の部分の構造は、前述した本実施形態の構造と同様である。
【０１６８】
ロック機構４７は、第一凸部４７０、第二凸部４７１、およびカム部材４７２（ロック側回転部材ともいう。）を備える。
【０１６９】
第一凸部４７０は、シリンダ連結機構４５の第一ラックバー４５１に一体に設けられる。具体的には、第一凸部４７０は、第一ラックバー４５１の第一ラック歯部４５１ａに隣接する位置に設けられる。
【０１７０】
第二凸部４７１は、ブーム連結機構４６の一方の第二ラックバー４６１ａに一体に設けられる。具体的には、第二凸部４７１は、一方の第二ラックバー４６１ａの駆動用ラック歯部４６１ｃに隣接する位置に設けられる。
【０１７１】
カム部材４７２は、略三日月形状の板状部材である。このようなカム部材４７２は、周方向における一端に第一カム受部４７２ａを有する。その一方で、カム部材４７２は、周方向における他端に第二カム受部４７２ｂを有する。
【０１７２】
カム部材４７２は、たとえば、伝達軸４３２において、一体型欠歯歯車４９が外嵌固定されている位置からＸ方向にずれた位置に外嵌固定される。なお、本実施形態の場合、カム部材４７２は、第一欠歯歯車４５０と第二欠歯歯車４６０との間に外嵌固定される。つまり、カム部材４７２と一体型欠歯歯車４９とは同軸に設けられる。このようなカム部材４７２は、伝達軸４３２とともに回転する。したがって、カム部材４７２は、一体型欠歯歯車４９とともに、伝達軸４３２の中心軸周りに回転する。
【０１７３】
なお、カム部材４７２は、一体型欠歯歯車４９と一体であってもよい。また、本実施形態の場合には、カム部材４７２は、第一欠歯歯車４５０および第二欠歯歯車４６０の少なくとも一方の欠歯歯車と一体であってもよい。
【０１７４】
図１４Ｂ〜図１４Ｄおよび図１５Ａに示すように、一体型欠歯歯車４９の歯部４９ａ（第二欠歯歯車４６０の第二歯部４６０ａでもある。）が、一方の第二ラックバー４６１ａの駆動用ラック歯部４６１ｃと噛合する状態で、カム部材４７２の第一カム受部４７２ａが、第一凸部４７０よりもＹ方向＋側に位置する。なお、この際、一体型欠歯歯車４９の歯部４９ａは、第一ラックバー４５１の第一ラック歯部４５１ａとは噛合しない。
【０１７５】
この状態で、第一カム受部４７２ａと第一凸部４７０とは、Ｙ方向のわずかな隙間を介して対向する（図１５Ａ参照）。これにより、第一ラックバー４５１にＹ方向＋側の外力（図１５Ａに矢印Ｆａで示す方向の力）が加わった場合でも、第一ラックバー４５１のＹ方向＋側への変位が防止される。
【０１７６】
具体的には、第一ラックバー４５１にＹ方向＋側の外力Ｆａが加わると、第一ラックバー４５１は、図１５Ａに二点鎖線で示す位置から実線で示す位置までＹ方向＋側に変位する。この状態において、第一凸部４７０が、第一カム受部４７２ａに当接して、第一ラックバー４５１のＹ方向＋側への変位が防止される。
【０１７７】
なお、図１４Ｂ〜１４Ｄに示す状態では、カム部材４７２の外周面と第一凸部４７０とが、Ｙ方向のわずかな隙間を介して対向する。これにより、第一ラックバー４５１にＹ方向＋側の外力が加わった場合でも、第一ラックバー４５１のＹ方向＋側への変位が防止される。
【０１７８】
その一方で、図１５Ｂに示すように、一体型欠歯歯車４９の歯部４９ａ（シリンダ連結機構４５における第一欠歯歯車４５０の第一歯部４５０ａでもある。）が、第一ラックバー４５１の第一ラック歯部４５１ａと噛合する状態では、カム部材４７２の第二カム受部４７２ｂが、第二凸部４７１よりもＹ方向＋側に位置する。
【０１７９】
この状態（図１５Ｂに二点鎖線で示す状態）で、第二カム受部４７２ｂと第二凸部４７１とは、Ｙ方向のわずかな隙間を介して対向する。これにより、一方の第二ラックバー４６１ａにＹ方向＋側の外力（図１５Ｂに矢印Ｆｂ）が加わった場合でも、一方の第二ラックバー４６１ａのＹ方向＋側への変位が防止される。具体的には、一方の第二ラックバー４６１ａにＹ方向＋側の外力Ｆｂが加わると、一方の第二ラックバー４６１ａは、図１５Ｂに二点鎖線で示す位置から実線で示す位置までＹ方向＋側に変位する。この状態において、第二凸部４７１が、第二カム受部４７２ｂに当接して、一方の第二ラックバー４６１ａのＹ方向＋側への変位が防止される。
【０１８０】
［１．２  アクチュエータの動作について］
以下、図２、図１６を参照して、伸縮式ブーム１４の伸縮動作、および、当該伸縮動作の際のアクチュエータ２の動作について説明する。図１６は、伸縮式ブーム１４における先端ブーム要素１４１の伸長動作の際のタイミングチャートである。本実施形態に係るアクチュエータ２は、１台の電動モータ４１の回転方向の切り換え、および、電動モータ４１の駆動力をシリンダ連結機構４５とブーム連結機構４６とに振り分けるスイッチギヤ（つまり、第一欠歯歯車４５０および第二欠歯歯車４６０）により、シリンダ連結ピン４５４ａ、４５４ｂの抜き動作、およびブーム連結ピン１４４ａの抜き動作を択一的に実現している。
【０１８１】
以下、伸縮式ブーム１４における先端ブーム要素１４１の伸長動作についてのみ説明する。なお、先端ブーム要素１４１の収縮動作は、以下の伸縮動作の手順とは逆である。
【０１８２】
なお、以下の説明において、シリンダ連結機構４５およびブーム連結機構４６の拡張状態と縮小状態との間の状態遷移は、前述の通りである。このため、シリンダ連結機構４５およびブーム連結機構４６の状態遷移に関する詳しい説明は省略する。
【０１８３】
また、電動モータ４１のＯＮ／ＯＦＦの切り換え、および、ブレーキ機構４２のＯＮ／ＯＦＦの切り換えは、上述の位置情報検出装置４４の出力に基づいて、制御部が制御する。
【０１８４】
図２Ａは、伸縮式ブーム１４の収縮状態を示している。この状態では、先端ブーム要素１４１は、中間ブーム要素１４２に対してブーム連結ピン１４４ａを介して連結される。したがって、先端ブーム要素１４１は、中間ブーム要素１４２に対して長手方向（図２の左右方向）に変位不能である。
【０１８５】
また、図２Ａにおいて、シリンダ連結ピン４５４ａ、４５４ｂの先端部が、先端ブーム要素１４１の一対のシリンダピン受部１４１ａに係合する。つまり、先端ブーム要素１４１とシリンダ部材３２は、連結状態である。
【０１８６】
図２Ａの状態では、各部材の状態は以下となる（図１６のＴ０〜Ｔ１参照）。
ブレーキ機構４２                    ：  ＯＦＦ
電動モータ４１                      ：  ＯＦＦ
シリンダ連結機構４５                ：  拡張状態 
ブーム連結機構４６                  ：  拡張状態
シリンダ連結ピン４５４ａ、４５４ｂ  ：  入り状態
ブーム連結ピン１４４ａ              ：  入り状態
【０１８７】
つぎに、図２Ａに示す状態において、電動モータ４１を正転（出力軸の先端側からみて時計回りの方向である第一の方向に回転）させて、アクチュエータ２のブーム連結機構４６により、一対のブーム連結ピン１４４ａを中間ブーム要素１４２の一対の第一ブームピン受部１４２ｂから離脱する方向に変位させる。この際、ブーム連結機構４６が、拡張状態から縮小状態へと状態遷移する。
【０１８８】
図２Ａ〜図２Ｂへの状態遷移の際の、各部材の状態は以下となる（図１６のＴ１〜Ｔ２参照）。
ブレーキ機構４２                    ：  ＯＦＦ
電動モータ４１                      ：  ＯＮ
シリンダ連結機構４５                ：  拡張状態 
ブーム連結機構４６                  ：  拡張状態→縮小状態 
シリンダ連結ピン４５４ａ、４５４ｂ  ：  入り状態
ブーム連結ピン１４４ａ              ：  入り状態→抜き状態
【０１８９】
上述の状態遷移にともない、一対のブーム連結ピン１４４ａと、中間ブーム要素１４２の一対の第一ブームピン受部１４２ｂとの係合が解除される（図２Ｂ参照）。その後、ブレーキ機構４２をＯＮにするとともに、電動モータ４１をＯＦＦにする。
【０１９０】
なお、電動モータ４１をＯＦＦにするタイミングと、ブレーキ機構４２をＯＮにするタイミングは、制御部により適宜制御される。たとえば、図示は省略するが、ブレーキ機構４２をＯＮにした後、電動モータ４１をＯＦＦにする。
【０１９１】
図２Ｂの状態では、各部材の状態は以下となる（図１６のＴ２参照）。
ブレーキ機構４２                    ：  ＯＮ
電動モータ４１                      ：  ＯＦＦ
シリンダ連結機構４５                ：  拡張状態 
ブーム連結機構４６                  ：  縮小状態 
シリンダ連結ピン４５４ａ、４５４ｂ  ：  入り状態
ブーム連結ピン１４４ａ              ：  抜き状態
【０１９２】
つぎに、図２Ｂに示す状態において、アクチュエータ２の伸縮シリンダ３における伸側の油圧室に圧油を供給する。すると、シリンダ部材３２が、伸長方向（図２の左側）に変位する。
【０１９３】
上述のようなシリンダ部材３２の変位とともに、先端ブーム要素１４１が伸長方向に変位する（図２Ｃ参照）。この際、各部の状態は、図１６のＴ２の状態がＴ３まで維持される。
【０１９４】
つぎに、図２Ｃに示す状態において、ブレーキ機構４２を解除する。すると、第二付勢機構４６３の付勢力に基づいて、ブーム連結機構４６は、一対のブーム連結ピン１４４ａを中間ブーム要素１４２の一対の第二ブームピン受部１４２ｃに係合させる方向に変位させる。この際、ブーム連結機構４６は、縮小状態から拡張状態へと状態遷移（つまり、自動復帰）する。
【０１９５】
図２Ｃ〜図２Ｄへの状態遷移の際の、各部材の状態は以下となる（図１６のＴ３〜Ｔ４参照）。
ブレーキ機構４２                    ：  ＯＦＦ
電動モータ４１                      ：  ＯＦＦ
シリンダ連結機構４５                ：  拡張状態 
ブーム連結機構４６                  ：  縮小状態→拡張状態 
シリンダ連結ピン４５４ａ、４５４ｂ  ：  入り状態
ブーム連結ピン１４４ａ              ：  抜き状態→入り状態
【０１９６】
すると、図２Ｄに示すように、一対のブーム連結ピン１４４ａが、中間ブーム要素１４２の一対の第二ブームピン受部１４２ｃに係合する。
【０１９７】
図２Ｄに示す状態における、各部材の状態は以下となる（図１６のＴ４参照）。
ブレーキ機構４２                    ：  ＯＦＦ
電動モータ４１                      ：  ＯＦＦ
シリンダ連結機構４５                ：  拡張状態 
ブーム連結機構４６                  ：  拡張状態 
シリンダ連結ピン４５４ａ、４５４ｂ  ：  入り状態
ブーム連結ピン１４４ａ              ：  入り状態
【０１９８】
さらに、図２Ｄに示す状態において、電動モータ４１を逆転（出力軸の先端側からみて反時計回りの方向である第二の方向に回転）させて、シリンダ連結機構４５により、一対のシリンダ連結ピン４５４ａ、４５４ｂを先端ブーム要素１４１の一対のシリンダピン受部１４１ａから離脱する方向に変位させる。この際、シリンダ連結機構４５が、拡張状態から縮小状態へと状態遷移する。
【０１９９】
図２Ｄ〜図２Ｅへの状態遷移の際の、各部材の状態は以下となる（図１６のＴ４〜Ｔ５参照）。
ブレーキ機構４２                    ：  ＯＦＦ
電動モータ４１                      ：  ＯＮ
シリンダ連結機構４５                ：  拡張状態→縮小状態
ブーム連結機構４６                  ：  拡張状態
シリンダ連結ピン４５４ａ、４５４ｂ  ：  入り状態→抜き状態
ブーム連結ピン１４４ａ              ：  入り状態
【０２００】
すると、図２Ｅに示すように、一対のシリンダ連結ピン４５４ａ、４５４ｂの先端部と、先端ブーム要素１４１の一対のシリンダピン受部１４１ａとの係合が解除される。その後、ブレーキ機構４２をＯＮにするとともに、電動モータ４１をＯＦＦにする。
【０２０１】
図２Ｅに示す状態における、各部材の状態は以下となる（図１６のＴ５参照）。
ブレーキ機構４２                    ：  ＯＮ
電動モータ４１                      ：  ＯＦＦ
シリンダ連結機構４５                ：  縮小状態 
ブーム連結機構４６                  ：  拡張状態 
シリンダ連結ピン４５４ａ、４５４ｂ  ：  抜き状態
ブーム連結ピン１４４ａ              ：  入り状態
【０２０２】
その後、図示は省略するが、アクチュエータ２の伸縮シリンダ３における縮側の油圧室に圧油を供給すると、シリンダ部材３２が収縮方向（図２の右側）に変位する。この際、先端ブーム要素１４１とシリンダ部材３２とが非連結状態であるため、シリンダ部材３２は単独で収縮方向に変位する。中間ブーム要素１４２を伸長する場合には、中間ブーム要素１４２に対して図２Ａ〜２Ｅの動作を行う。
【０２０３】
［１．３  本実施形態の作用・効果について］
以上のような構成を有する本実施形態の移動式クレーン１の場合、シリンダ連結機構４５およびブーム連結機構４６が電動式であるため、伸縮式ブーム１４の内部空間に従来構造のような油圧回路を設ける必要がない。したがって、油圧回路が使用していたスペースを有効活用して、伸縮式ブーム１４の内部空間における設計の自由度を向上できる。
【０２０４】
また、本実施形態の場合、シリンダ連結ピン４５４ａ、４５４ｂおよびブーム連結ピン１４４ａ、１４４ｂの位置検出を、上述の位置情報検出装置４４により行う。このため、本実施形態において、シリンダ連結ピン４５４ａ、４５４ｂおよびブーム連結ピン１４４ａ、１４４ｂの位置検出用の近接センサが不要となる。このような近接センサは、たとえば、シリンダ連結ピン４５４ａ、４５４ｂおよびブーム連結ピン１４４ａ、１４４ｂそれぞれの入り状態および抜き状態を検出できる位置に設けられる。この場合、近接センサは、シリンダ連結ピン４５４ａ、４５４ｂおよび第二ラックバー４６１ａ、４６１ｂと少なくとも同数だけ必要となる。一方、本実施形態の場合、上述のような１個の検出部４４ａを含む位置情報検出装置４４（つまり、一台の検出器）により、シリンダ連結ピン４５４ａ、４５４ｂおよびブーム連結ピン１４４ａ、１４４ｂそれぞれの位置を検出可能である。
【０２０５】
［２．  実施形態２］
図１９Ａ〜図２０を参照して、本発明に係る実施形態２について説明する。本実施形態の場合、位置情報検出装置５００Ａの構造が、前述した実施形態１における位置情報検出装置４４と異なる。それ以外の部分の構造は、前述した実施形態１と同様である。以下、位置情報検出装置５００Ａの構造について説明する。
【０２０６】
図１９Ａは、伝達軸４３２のＸ方向＋側の端部に設けられた状態の位置情報検出装置５００Ａを示す。図１９Ｂは、図１９Ａに示される位置情報検出装置５００Ａを、図１９Ａ中の矢印Ａｒの方向から見た図である。図１９Ｃは、図１９ＡのＣ１ａ−Ｃ１ａ線断面図である。図１９Ｄは、図１９ＡのＣ１ｂ−Ｃ１ｂ線断面図である。なお、図１９Ｄにおいて、後述する第二検出装置５０２Ａは、省略されている。
【０２０７】
また、図２０は、本実施形態に係るクレーンの位置情報検出装置５００Ａの動作を説明するための図である。以下、図２０の説明において、図２０中の図を参照する場合に、列番号Ａ〜Ｅと行番号１〜４とを用いる。たとえば、図２０におけるＡ列の１行目の図を参照する場合には、Ａ−１とする。
【０２０８】
図２０のＣ列は、位置情報検出装置５００Ａの中立状態を示す。具体的には、図２０のＣ−１は、図１９Ａに対応する。また、図２０のＣ−２は、図１９Ｂに対応する。図２０のＣ−３は、図１９Ｃに対応する。図２０のＣ−４は、図１９Ｄに対応する。
【０２０９】
位置情報検出装置５００Ａの中立状態において、シリンダ連結ピン４５４ａ、４５４ｂおよびブーム連結ピン１４４ａ（図２Ａ〜図２Ｅ参照）は、入り状態である。以下の説明では、ブーム連結ピンは、図２Ａ〜図２Ｅに示されるブーム連結ピン１４４ａとする。ただし、ブーム連結ピンは、図２Ａ〜図２Ｅに示されるブーム連結ピン１４４ｂであってもよい。
【０２１０】
位置情報検出装置５００Ａは、第一検出装置５０１Ａおよび第二検出装置５０２Ａを有する。
【０２１１】
第一検出装置５０１Ａは、第一被検出部５０Ａおよび第一センサ部５１Ａを有する。第一被検出部５０Ａは、中心孔に伝達軸４３２が挿通された状態で、伝達軸４３２に固定される。第一被検出部５０Ａは、伝達軸４３２とともに回転する。
【０２１２】
第一被検出部５０Ａは、外周面に、中心軸からの距離が大きい（外径が大きい）第一大径部５０ａ２および第二大径部５０ｃ２と、中心軸からの距離が小さい（外径が小さい）第一小径部５０ｂ２および第二小径部５０ｄ２とを有する。本実施形態の場合、第一大径部５０ａ２と第二大径部５０ｃ２とは、第一被検出部５０Ａの中心軸を中心に、周方向に９０度ずれた位置に配置される。なお、第一大径部５０ａ２と第二大径部５０ｃ２との位置関係は、本実施形態の関係に限定されない。第一大径部５０ａ２と第二大径部５０ｃ２との位置関係は、収縮状態と拡張状態とを状態遷移する際のブーム連結ピンおよびシリンダ連結ピンのストローク量に応じて適宜決定される。
【０２１３】
第一小径部５０ｂ２は、第一被検出部５０Ａの外周面において、第一大径部５０ａ２と第二大径部５０ｃ２との間に存在する部分のうち、第一被検出部５０Ａの中心軸を中心とした中心角が小さい（周方向の長さが短い）部分に配置される。第二小径部５０ｄ２は、第一被検出部５０Ａの外周面において、第一大径部５０ａ２と第二大径部５０ｃ２との間に存在する部分のうち、第一被検出部５０Ａの中心軸を中心とした中心角が大きい（周方向の長さが長い）部分に配置される。
【０２１４】
第一センサ部５１Ａは、非接触式の近接センサである。第一センサ部５１Ａは、先端を第一被検出部５０Ａの外周面に対向させた状態で設けられる。第一センサ部５１Ａは、第一被検出部５０Ａの外周面との距離に応じて電気信号を出力する。
【０２１５】
たとえば、第一センサ部５１Ａの出力は、第一大径部５０ａ２または第二大径部５０ｃ２と対向する状態で、ＯＮとなる。一方、第一センサ部５１Ａの出力は、第一小径部５０ｂ２または第二小径部５０ｄ２と対向する状態で、ＯＦＦとなる。
【０２１６】
第二検出装置５０２Ａは、第二被検出部５２Ａおよび第二センサ部５３Ａを有する。第二被検出部５２Ａは、中心孔に伝達軸４３２が挿通された状態で、伝達軸４３２における第一被検出部５０ＡよりもＸ方向−側に固定される。第二被検出部５２Ａは、伝達軸４３２とともに回転する。
【０２１７】
第二被検出部５２Ａは、外周面に、中心軸からの距離が大きい（外径が大きい）第一大径部５２ａ２および第二大径部５２ｃ２と、中心軸からの距離が小さい（外径が小さい）第一小径部５２ｂ２および第二小径部５２ｄ２とを有する。このような第二被検出部５２Ａの構成は、前述した第一被検出部５０Ａと同様である。
【０２１８】
第二センサ部５３Ａは、非接触式の近接センサである。第二センサ部５３Ａは、先端を第二被検出部５２Ａの外周面に対向させた状態で設けられる。このような第二センサ部５３Ａは、第二被検出部５２Ａの外周面との距離に応じて電気信号を出力する。
【０２１９】
たとえば、第二センサ部５３Ａの出力は、第一大径部５２ａ２または第二大径部５２ｃ２と対向する状態で、ＯＮとなる。一方、第二センサ部５３Ａの出力は、第一小径部５２ｂ２または第二小径部５２ｄ２と対向する状態で、ＯＦＦとなる。
【０２２０】
本実施形態の場合、位置情報検出装置５００Ａの中立状態において、第一被検出部５０Ａと第二被検出部５２Ａとは、位相が９０度ずれている。具体的には、位置情報検出装置５００Ａの中立状態において、第一センサ部５１Ａは、第一被検出部５０Ａの第二大径部５０ｃ２と対向する。一方、位置情報検出装置５００Ａの中立状態において、第二センサ部５３Ａは、第二被検出部５２Ａの第一大径部５２ａ２と対向する。なお、第一被検出部５０Ａと第二被検出部５２Ａとの位置（位相）関係は、本実施形態の関係に限定されない。第一被検出部５０Ａと第二被検出部５２Ａとの位置関係は、収縮状態と拡張状態とを状態遷移する際のブーム連結ピンおよびシリンダ連結ピンのストローク量に応じて適宜決定される。
【０２２１】
以上のような位置情報検出装置５００Ａは、第一センサ部５１Ａの出力と、第二センサ部５３Ａの出力との組み合わせに基づいて、シリンダ連結ピン４５４ａ、４５４ｂおよびブーム連結ピン１４４ａの位置に関する情報を検出する。以下、この点について、図２０を参照して説明する。
【０２２２】
図２０のＡ列は、シリンダ連結ピン４５４ａ、４５４ｂの抜き状態（図２Ｅに示す状態である。以下、「シリンダ連結ピンの抜き状態」という。）に対応する、位置情報検出装置５００Ａの状態を示す。図２０のＢ列は、シリンダ連結ピン４５４ａ、４５４ｂの抜き動作状態（以下、「シリンダ連結ピンの抜き動作状態」という。）に対応する、位置情報検出装置５００Ａの状態を示す。図２０のＣ列は、ブーム連結ピン１４４ａの入り状態およびシリンダ連結ピン４５４ａ、４５４ｂの入り状態（図２Ａに示す状態である。以下、「ピンの中立状態」という。）に対応する、位置情報検出装置５００Ａの状態（中立状態）を示す。
【０２２３】
図２０のＤ列は、ブーム連結ピン１４４ａの抜き動作状態（以下、「ブーム連結ピンの抜き動作状態」という。）に対応する、位置情報検出装置５００Ａの状態を示す。また、図２０のＥ列は、ブーム連結ピン１４４ａの抜き状態（図２Ｂおよび図２Ｃに示す状態である。以下、「ブーム連結ピンの抜き状態」という。）に対応する、位置情報検出装置５００Ａの状態を示す。
【０２２４】
なお、ブーム連結ピン１４４ａが抜き状態の場合には、シリンダ連結ピン４５４ａ、４５４ｂは、入り状態である。また、ブーム連結ピン１４４ａが入り状態の場合には、シリンダ連結ピン４５４ａ、４５４ｂは、抜き状態である。
【０２２５】
本実施形態の場合、位置情報検出装置５００Ａは、ブーム連結ピン１４４ａおよびシリンダ連結ピン４５４ａ、４５４ｂが、ピンの中立状態、ブーム連結ピンの抜き状態、およびシリンダ連結ピンの抜き状態の何れに対応する状態であるかを検出する。
【０２２６】
なお、位置情報検出装置５００Ａは、ブーム連結ピンの抜き動作状態とシリンダ連結ピンの抜き動作状態とを区別できない。この理由は、ブーム連結ピンの抜き動作状態およびシリンダ連結ピンの抜き動作状態において、第一センサ部５１Ａの出力と第二センサ部５３Ａの出力との組み合わせが同じだからである（図２０のＢ列およびＤ列参照）。ただし、伝達軸４３２の回転方向を検出する手段を設けることにより、位置情報検出装置５００Ａは、ブーム連結ピンの抜き動作状態とシリンダ連結ピンの抜き動作状態を検出できる。
【０２２７】
ピンの中立状態に対応する位置情報検出装置５００Ａの状態（図２０のＣ列に示す状態）から、電動モータ４１（図７参照）が正転（出力軸の先端側からみて時計回りの方向に回転であって、図１９Ｂの矢印Ｆａの方向に回転）すると、位置情報検出装置５００Ａは、ブーム連結ピンの抜き動作状態に対応する状態（図２０のＤ列に示す状態）を経て、ブーム連結ピンの抜き状態に対応する状態（図２０のＥ列に示す状態）となる。
【０２２８】
ブーム連結ピンの抜き状態に対応する状態において、第一センサ部５１Ａは、第一被検出部５０Ａの第二小径部５０ｄ２と対向する。この状態の第一センサ部５１Ａの出力は、ＯＦＦである（図２０のＥ−４参照）。
【０２２９】
また、ブーム連結ピンの抜き状態に対応する状態において、第二センサ部５３Ａは、第二被検出部５２Ａの第二大径部５２ｃ２と対向する。この状態の第二センサ部５３Ａの出力は、ＯＮである（図２０のＥ−３参照）。
【０２３０】
このような第一センサ部５１Ａの出力（ＯＦＦ）と第二センサ部５３Ａの出力（ＯＮ）との組み合わせにより、位置情報検出装置５００Ａは、ブーム連結ピン１４４ａおよびシリンダ連結ピン４５４ａ、４５４ｂが、ブーム連結ピンの抜き状態であることを検出する。そして、位置情報検出装置５００Ａの検出結果に基づいて、制御部（図示省略）は、電動モータ４１の動作を停止する。
【０２３１】
一方、ピンの中立状態に対応する位置情報検出装置５００Ａの状態（図２０のＣ列に示す状態）から、電動モータ４１（図７参照）が逆転（出力軸の先端側からみて時計と反対回りの方向であって、図１９Ｂの矢印Ｒａの方向に回転）すると、位置情報検出装置５００Ａは、シリンダ連結ピンの抜き動作状態に対応する状態（図２０のＢ列に示す状態）を経て、シリンダ連結ピンの抜き状態に対応する状態（図２０のＡ列に示す状態）となる。
【０２３２】
シリンダ連結ピンの抜き状態に対応する状態において、第一センサ部５１Ａは、第一被検出部５０Ａの第一大径部５０ａ２と対向する。この状態の第一センサ部５１Ａの出力は、ＯＮである（図２０のＡ−４参照）。
【０２３３】
また、シリンダ連結ピンの抜き状態に対応する状態において、第二センサ部５３Ａは、第二被検出部５２Ａの第二小径部５２ｄ２と対向する。この状態の第二センサ部５３Ａの出力は、ＯＦＦである（図２０のＡ−３参照）。
【０２３４】
このような第一センサ部５１Ａの出力（ＯＮ）と第二センサ部５３Ａの出力（ＯＦＦ）との組み合わせにより、位置情報検出装置５００Ａは、ブーム連結ピン１４４ａおよびシリンダ連結ピン４５４ａ、４５４ｂが、シリンダ連結ピンの抜き状態であることを検出する。そして、位置情報検出装置５００Ａの検出結果に基づいて、制御部（図示省略）は、電動モータ４１の動作を停止する。
【０２３５】
なお、ブーム連結ピンの抜き状態に対応する状態から、電動モータ４１が逆転すると、位置情報検出装置５００Ａは、ピンの中立状態に対応する状態となる。
【０２３６】
一方、シリンダ連結ピンの抜き状態に対応する状態から、電動モータ４１が正転すると、位置情報検出装置５００Ａは、ピンの中立状態に対応する状態となる。
【０２３７】
ピンの中立状態において、第一センサ部５１Ａは、第一被検出部５０Ａの第二大径部５０ｃ２と対向する。この状態の第一センサ部５１Ａの出力は、ＯＮである（図２０のＣ−４参照）。
【０２３８】
また、ピンの中立状態において、第二センサ部５３Ａは、第二被検出部５２Ａの第一大径部５２ａ２と対向する。この状態の第二センサ部５３Ａの出力は、ＯＮである（図２０のＣ−３参照）。
【０２３９】
このような第一センサ部５１Ａの出力（ＯＮ）と第二センサ部５３Ａの出力（ＯＮ）との組み合わせにより、位置情報検出装置５００Ａは、ブーム連結ピン１４４ａおよびシリンダ連結ピン４５４ａ、４５４ｂが、ピンの中立状態であることを検出する。そして、位置情報検出装置５００Ａの検出結果に基づいて、制御部（図示省略）は、電動モータ４１の動作を停止する。
【０２４０】
［３．  実施形態３］
図２１Ａ〜図２２を参照して、本発明に係る実施形態３について説明する。本実施形態の場合、位置情報検出装置５００Ｂの構造が、前述した実施形態２における位置情報検出装置５００Ａと異なる。それ以外の部分の構造は、実施形態２と同様である。以下、位置情報検出装置５００Ｂの構造について説明する。
【０２４１】
図２１Ａは、伝達軸４３２のＸ方向＋側の端部に設けられた状態の位置情報検出装置５００Ｂを示す。図２１Ｂは、図２１Ａに示される位置情報検出装置５００Ｂを、図２１Ａ中の矢印Ａｒの方向から見た図である。図２１Ｃは、図２１ＡのＣ２ａ−Ｃ２ａ線断面図である。図２１Ｄは、図２１ＡのＣ１ｂ−Ｃ１ｂ線断面図である。図２１Ｅは、図２１ＡのＣ１ｃ−Ｃ１ｃ線断面図である。なお、図２１Ｄにおいて、後述する第三検出装置５０３Ｂは、省略されている。また、図２１Ｅにおいて、後述する第二検出装置５０２Ｂおよび第三検出装置５０３Ｂは、省略されている。
【０２４２】
また、図２２は、本実施形態に係るクレーンの位置情報検出装置５００Ｂの動作を説明するための図である。図２２は、前述の実施形態１の説明で参照した図２０に対応する図である。
【０２４３】
位置情報検出装置５００Ｂは、第一検出装置５０１Ｂ、第二検出装置５０２Ｂ、および第三検出装置５０３Ｂを有する。
【０２４４】
第一検出装置５０１Ｂは、第一被検出部５０Ｂおよび第一センサ部５１Ｂを有する。第一被検出部５０Ｂは、中心孔に伝達軸４３２が挿通された状態で、伝達軸４３２に固定される。第一被検出部５０Ｂは、伝達軸４３２とともに回転する。
【０２４５】
第一被検出部５０Ｂは、外周面に、中心軸からの距離が大きい（外径が大きい）第一大径部５０ａ３、第二大径部５０ｃ３、および第三大径部５０ｅ３と、中心軸からの距離が小さい（外径が小さい）第一小径部５０ｂ３、第二小径部５０ｄ３、および第三小径部５０ｆ３を有する。
【０２４６】
本実施形態の場合、第一大径部５０ａ３、第二大径部５０ｃ３、および第三大径部５０ｅ３は、第一被検出部５０Ｂの外周面において、９０度間隔で配置される。第一大径部５０ａ３と第三大径部５０ｅ３とは、第一被検出部５０Ｂの中心軸を中心に１８０°ずれて配置される。なお、第一大径部５０ａ３、第二大径部５０ｃ３、および第三大径部５０ｅ３の位置関係は、本実施形態の関係に限定されない。第一大径部５０ａ３、第二大径部５０ｃ３、および第三大径部５０ｅ３の位置関係は、収縮状態と拡張状態とを状態遷移する際のブーム連結ピンおよびシリンダ連結ピンのストローク量に応じて適宜決定される。
【０２４７】
第一小径部５０ｂ３は、第一被検出部５０Ｂの外周面において、第一大径部５０ａ３と第二大径部５０ｃ３との間に配置される。第二小径部５０ｄ３は、第一被検出部５０Ｂの外周面において、第二大径部５０ｃ３と第三大径部５０ｅ３との間に配置される。第三小径部５０ｆ３は、第一被検出部５０Ｂの外周面において、第一大径部５０ａ３と第三大径部５０ｅ３との間に配置される。
【０２４８】
第一センサ部５１Ｂは、非接触式の近接センサである。第一センサ部５１Ｂは、先端を第一被検出部５０Ｂの外周面に対向させた状態で設けられる。第一センサ部５１Ｂは、第一被検出部５０Ｂの外周面との距離に応じて電気信号を出力する。
【０２４９】
たとえば、第一センサ部５１Ｂの出力は、第一大径部５０ａ３、第二大径部５０ｃ３、または第三大径部５０ｅ３と対向する状態で、ＯＮとなる。一方、第一センサ部５１Ｂの出力は、第一小径部５０ｂ３、第二小径部５０ｄ３、または第三小径部５０ｆ３と対向する状態で、ＯＦＦとなる。
【０２５０】
第二検出装置５０２Ｂは、第二被検出部５２Ｂおよび第二センサ部５３Ｂを有する。第二被検出部５２Ｂは、中心孔に伝達軸４３２が挿通された状態で、伝達軸４３２における第一被検出部５０ＢよりもＸ方向−側に固定される。第二被検出部５２Ｂは、伝達軸４３２とともに回転する。
【０２５１】
第二被検出部５２Ｂは、外周面に、中心軸からの距離が大きい（外径が大きい）第一大径部５２ａ３と、中心軸からの距離が小さい（外径が小さい）第一小径部５２ｂ３とを有する。本実施形態の場合、第一大径部５２ａ３は、第二被検出部５２Ｂの外周面において、第二被検出部５２Ｂの中心軸を中心とした中心角が１２０°の範囲に配置される。第一小径部５２ｂ３は、第二被検出部５２Ｂの外周面において、第一大径部５２ａ３以外の部分に配置される。なお、第一大径部５２ａ３と第一小径部５２ｂ３との位置関係は、本実施形態の関係に限定されない。第一大径部５２ａ３と第一小径部５２ｂ３との位置関係は、収縮状態と拡張状態とを状態遷移する際のブーム連結ピンおよびシリンダ連結ピンのストローク量に応じて適宜決定される。
【０２５２】
第二センサ部５３Ｂは、非接触式の近接センサである。第二センサ部５３Ｂは、先端を第二被検出部５２Ｂの外周面に対向させた状態で設けられる。第二センサ部５３Ｂは、第二被検出部５２Ｂの外周面との距離に応じて電気信号を出力する。
【０２５３】
たとえば、第二センサ部５３Ｂの出力は、第一大径部５２ａ３と対向する状態で、ＯＮとなる。一方、第二センサ部５３Ｂの出力は、第一小径部５２ｂ３と対向する状態で、ＯＦＦとなる。
【０２５４】
第三検出装置５０３Ｂは、第三被検出部５４Ｂおよび第三センサ部５５Ｂを有する。第三被検出部５４Ｂは、中心孔に伝達軸４３２が挿通された状態で、伝達軸４３２における第二被検出部５２ＢよりもＸ方向−側に固定される。第三被検出部５４Ｂは、伝達軸４３２とともに回転する。
【０２５５】
第三被検出部５４Ｂは、外周面に、中心軸からの距離が大きい（外径が大きい）第一大径部５４ａ３と、中心軸からの距離が小さい（外径が小さい）第一小径部５４ｂ３とを有する。本実施形態の場合、第一大径部５４ａ３は、第三被検出部５４Ｂの外周面において、第三被検出部５４Ｂの中心軸を中心とした中心角が約１２０°の範囲に配置される。第一小径部５４ｂ３は、第三被検出部５４Ｂの外周面において、第一大径部５４ａ３以外の部分に配置される。なお、第一大径部５４ａ３と第一小径部５４ｂ３との位置関係は、本実施形態の関係に限定されない。第一大径部５４ａ３と第一小径部５４ｂ３との位置関係は、収縮状態と拡張状態とを状態遷移する際のブーム連結ピンおよびシリンダ連結ピンのストローク量に応じて適宜決定される。
【０２５６】
第三センサ部５５Ｂは、非接触式の近接センサである。第三センサ部５５Ｂは、先端を第三被検出部５４Ｂの外周面に対向させた状態で設けられる。第三センサ部５５Ｂは、第三被検出部５４Ｂの外周面との距離に応じて電気信号を出力する。
【０２５７】
たとえば、第三センサ部５５Ｂの出力は、第一大径部５４ａ３と対向する状態で、ＯＮとなる。一方、第三センサ部５５Ｂの出力は、第一小径部５４ｂ３と対向する状態で、ＯＦＦとなる。
【０２５８】
本実施形態の場合、位置情報検出装置５００Ｂの中立状態において、第一センサ部５１Ｂは、第一被検出部５０Ｂの第二大径部５０ｃ３と対向する。また、位置情報検出装置５００Ｂの中立状態において、第二センサ部５３Ｂは、第二被検出部５２Ｂの第一大径部５２ａ３と対向する。さらに、位置情報検出装置５００Ｂの中立状態において、第三センサ部５５Ｂは、第三被検出部５４Ｂの第一大径部５４ａ３と対向する。
【０２５９】
以上のような位置情報検出装置５００Ｂは、第一センサ部５１Ｂの出力、第二センサ部５３Ｂの出力、および第三センサ部５５Ｂの出力との組み合わせに基づいて、シリンダ連結ピン４５４ａ、４５４ｂおよびブーム連結ピン１４４ａの位置に関する情報を検出する。以下、この点について、図２２を参照して説明する。
【０２６０】
本実施形態の場合、位置情報検出装置５００Ｂは、ブーム連結ピン１４４ａおよびシリンダ連結ピン４５４ａ、４５４ｂが、ピンの中立状態、ブーム連結ピンの抜き動作状態（ブーム連結ピンの入り動作状態でもある。）、ブーム連結ピンの抜き状態、シリンダ連結ピンの抜き動作状態（シリンダ連結ピンの入り動作状態でもある。）、およびシリンダ連結ピンの抜き状態の何れに対応する状態であるかを検出する。すなわち、本実施形態に係る位置情報検出装置５００Ｂは、前述した実施形態２の構造では検出できなかった、ブーム連結ピンの抜き動作状態およびシリンダ連結ピンの抜き動作状態も検出できる。
【０２６１】
ピンの中立状態に対応する位置情報検出装置５００Ｂの状態（図２２のＣ列に示す状態）から、電動モータ４１（図７参照）が正転すると、位置情報検出装置５００Ｂは、ブーム連結ピンの抜き動作状態に対応する状態（図２２のＤ列に示す状態）となる。
【０２６２】
ブーム連結ピンの抜き動作状態に対応する状態において、第一センサ部５１Ｂは、第一被検出部５０Ｂの第二小径部５０ｄ３と対向する。この状態の第一センサ部５１Ｂの出力は、ＯＦＦである（図２２のＤ−５参照）。
【０２６３】
また、ブーム連結ピンの抜き動作状態に対応する状態において、第二センサ部５３Ｂは、第二被検出部５２Ｂの第一小径部５２ｂ３と対向する。この状態の第二センサ部５３Ｂの出力は、ＯＦＦである（図２２のＤ−４参照）。
【０２６４】
また、ブーム連結ピンの抜き動作状態に対応する状態において、第三センサ部５５Ｂは、第三被検出部５４Ｂの第一大径部５４ａ３と対向する。この状態の第三センサ部５５Ｂの出力は、ＯＮである（図２２のＤ−３参照）。
【０２６５】
このような第一センサ部５１Ｂの出力（ＯＦＦ）、第二センサ部５３Ｂの出力（ＯＦＦ）、および第三センサ部５５Ｂの出力（ＯＮ）の組み合わせにより、位置情報検出装置５００Ｂは、ブーム連結ピン１４４ａおよびシリンダ連結ピン４５４ａ、４５４ｂが、ブーム連結ピンの抜き動作状態であることを検出する。そして、位置情報検出装置５００Ｂの検出結果に基づいて、制御部（図示省略）は、電動モータ４１の動作を継続する。
【０２６６】
ブーム連結ピンの抜き動作状態に対応する位置情報検出装置５００Ｂの状態（図２２のＤ列に示す状態）から、さらに、電動モータ４１が正転すると、位置情報検出装置５００Ｂは、ブーム連結ピンの抜き状態に対応する状態（図２２のＥ列に示す状態）となる。
【０２６７】
ブーム連結ピンの抜き状態に対応する状態において、第一センサ部５１Ｂは、第一被検出部５０Ｂの第三大径部５０ｅ３と対向する。この状態の第一センサ部５１Ｂの出力は、ＯＮである（図２２のＥ−５参照）。
【０２６８】
また、ブーム連結ピンの抜き状態に対応する状態において、第二センサ部５３Ｂは、第二被検出部５２Ｂの第一小径部５２ｂ３と対向する。この状態の第二センサ部５３Ｂの出力は、ＯＦＦである（図２２のＥ−４参照）。
【０２６９】
また、ブーム連結ピンの抜き状態に対応する状態において、第三センサ部５５Ｂは、第三被検出部５４Ｂの第一大径部５４ａ３と対向する。この状態の第三センサ部５５Ｂの出力は、ＯＮである（図２２のＥ−３参照）。
【０２７０】
このような第一センサ部５１Ｂの出力（ＯＮ）、第二センサ部５３Ｂの出力（ＯＦＦ）、および第三センサ部５５Ｂの出力（ＯＮ）の組み合わせにより、位置情報検出装置５００Ｂは、ブーム連結ピン１４４ａおよびシリンダ連結ピン４５４ａ、４５４ｂが、ブーム連結ピンの抜き状態であることを検出する。そして、位置情報検出装置５００Ｂの検出結果に基づいて、制御部（図示省略）は、電動モータ４１の動作を停止する。
【０２７１】
ピンの中立状態に対応する位置情報検出装置５００Ｂの状態（図２２のＣ列に示す状態）から、電動モータ４１（図７参照）が逆転すると、位置情報検出装置５００Ｂは、シリンダ連結ピンの抜き動作状態に対応する状態（図２２のＢ列に示す状態）となる。
【０２７２】
シリンダ連結ピンの抜き動作状態に対応する状態において、第一センサ部５１Ｂは、第一被検出部５０Ｂの第一小径部５０ｂ３と対向する。この状態の第一検出装置５０１Ｂの出力は、ＯＦＦである（図２２のＢ−５参照）。
【０２７３】
また、シリンダ連結ピンの抜き動作状態に対応する状態において、第二センサ部５３Ｂは、第二被検出部５２Ｂの第一大径部５２ａ３と対向する。この状態の第二センサ部５３Ｂの出力は、ＯＮである（図２２のＢ−４参照）。
【０２７４】
また、シリンダ連結ピンの抜き動作状態に対応する状態において、第三センサ部５５Ｂは、第三被検出部５４Ｂの第一小径部５４ｂ３と対向する。この状態の第三センサ部５５Ｂの出力は、ＯＦＦである（図２２のＢ−３参照）。
【０２７５】
このような第一センサ部５１Ｂの出力（ＯＦＦ）、第二センサ部５３Ｂの出力（ＯＮ）、および第三センサ部５５Ｂの出力（ＯＦＦ）の組み合わせにより、位置情報検出装置５００Ｂは、ブーム連結ピン１４４ａおよびシリンダ連結ピン４５４ａ、４５４ｂが、シリンダ連結ピンの抜き動作状態であることを検出する。そして、位置情報検出装置５００Ｂの検出結果に基づいて、制御部（図示省略）は、電動モータ４１の動作を継続する。
【０２７６】
シリンダ連結ピンの抜き動作状態に対応する位置情報検出装置５００Ｂの状態（図２２のＢ列に示す状態）から、さらに、電動モータ４１が逆転すると、位置情報検出装置５００Ｂは、シリンダ連結ピンの抜き状態に対応する状態（図２２のＡ列に示す状態）となる。
【０２７７】
シリンダ連結ピンの抜き状態に対応する状態において、第一センサ部５１Ｂは、第一被検出部５０Ｂの第一大径部５０ａ３と対向する。この状態の第一センサ部５１Ｂの出力は、ＯＮである（図２２のＡ−５参照）。
【０２７８】
また、シリンダ連結ピンの抜き状態に対応する状態において、第二センサ部５３Ｂは、第二被検出部５２Ｂの第一大径部５２ａ３と対向する。この状態の第二センサ部５３Ｂの出力は、ＯＮである（図２２のＡ−４参照）。
【０２７９】
また、シリンダ連結ピンの抜き状態に対応する状態において、第三センサ部５５Ｂは、第三被検出部５４Ｂの第一小径部５４ｂ３と対向する。この状態の第三センサ部５５Ｂの出力は、ＯＦＦである（図２２のＡ−３参照）。
【０２８０】
このような第一センサ部５１Ｂの出力（ＯＮ）、第二センサ部５３Ｂの出力（ＯＮ）、および第三センサ部５５Ｂの出力（ＯＦＦ）の組み合わせにより、位置情報検出装置５００Ｂは、ブーム連結ピン１４４ａおよびシリンダ連結ピン４５４ａ、４５４ｂが、シリンダ連結ピンの抜き状態であることを検出する。そして、位置情報検出装置５００Ｂの検出結果に基づいて、制御部（図示省略）は、電動モータ４１の動作を停止する。その他の、構成および作用・効果については前述した実施形態２と同様である。
【０２８１】
［４．  実施形態４］
図２３Ａ〜図２４を参照して、本発明に係る実施形態４について説明する。本実施形態の場合、位置情報検出装置５００Ｃの構造が、前述した実施形態２における位置情報検出装置５００Ａと異なる。それ以外の部分の構造は、実施形態２と同様である。以下、位置情報検出装置５００Ｃの構造について説明する。なお、図２３Ａ〜図２３Ｄは、前述の実施形態２の説明で参照した図１９Ａ〜図１９Ｄに対応する図である。また、図２４は、前述の実施形態２の説明で参照した図２０に対応する図である。
【０２８２】
位置情報検出装置５００Ｃは、第一検出装置５０１Ｃおよび第二検出装置５０２Ｃを有する。
【０２８３】
第一検出装置５０１Ｃは、第一被検出部５０Ｃおよび第一センサ部５１Ｃを有する。第一被検出部５０Ｃは、中心孔に伝達軸４３２が挿通された状態で、伝達軸４３２に固定される。第一被検出部５０Ｃは、伝達軸４３２とともに回転する。
【０２８４】
第一被検出部５０Ｃは、外周面に、中心軸からの距離が大きい（外径が大きい）第一大径部５０ａ４および第二大径部５０ｃ４と、中心軸からの距離が小さい（外径が小さい）第一小径部５０ｂ４および第二小径部５０ｄ４とを有する。
【０２８５】
第一大径部５０ａ４は、第一被検出部５０Ｃの外周面において、第一被検出部５０Ｃの中心軸を中心とした中心角が約２４０°の範囲に配置される。第二大径部５０ｃ４は、第一被検出部５０Ｃの外周面において、第一大径部５０ａ４以外の部分に配置される。なお、第一大径部５０ａ４と第二大径部５０ｃ４との位置関係は、本実施形態の関係に限定されない。第一大径部５０ａ４と第二大径部５０ｃ４との位置関係は、収縮状態と拡張状態とを状態遷移する際のブーム連結ピンおよびシリンダ連結ピンのストローク量に応じて適宜決定される。
【０２８６】
第一小径部５０ｂ４と第二小径部５０ｄ４とはそれぞれ、第一被検出部５０Ｃの外周面において、第二大径部５０ｃ４を周方向に挟んだ位置に配置される。第一小径部５０ｂ４と第二小径部５０ｄ４とは、第一被検出部５０Ｃの中心軸を中心に９０度ずれている。なお、第一小径部５０ｂ４と第二小径部５０ｄ４との位置関係は、本実施形態の関係に限定されない。第一小径部５０ｂ４と第二小径部５０ｄ４との位置関係は、収縮状態と拡張状態とを状態遷移する際のブーム連結ピンおよびシリンダ連結ピンのストローク量に応じて適宜決定される。
【０２８７】
第一センサ部５１Ｃは、非接触式の近接センサである。第一センサ部５１Ｃは、先端を第一被検出部５０Ｃの外周面に対向させた状態で設けられる。第一センサ部５１Ｃは、第一被検出部５０Ｃの外周面との距離に応じて電気信号を出力する。
【０２８８】
たとえば、第一センサ部５１Ｃの出力は、第一大径部５０ａ４または第二大径部５０ｃ４と対向する状態で、ＯＦＦとなる。一方、第一センサ部５１Ｃの出力は、第一小径部５０ｂ４または第二小径部５０ｄ４と対向する状態で、ＯＮとなる。すなわち、本実施形態の場合、第一センサ部５１Ｃの出力がＯＮとなる条件が、前述の実施形態２および実施形態３の場合と逆である。
【０２８９】
第二検出装置５０２Ｃは、第二被検出部５２Ｃおよび第二センサ部５３Ｃを有する。第二被検出部５２Ｃは、中心孔に伝達軸４３２が挿通された状態で、伝達軸４３２における第一被検出部５０ＣよりもＸ方向−側に固定される。第二被検出部５２Ｃは、伝達軸４３２とともに回転する。
【０２９０】
第二被検出部５２Ｃは、外周面に、中心軸からの距離が大きい（外径が大きい）第一大径部５２ａ４および第二大径部５２ｃ４と、中心軸からの距離が小さい（外径が小さい）第一小径部５２ｂ４および第二小径部５２ｄ４とを有する。このような第二被検出部５２Ｃの構成は、前述した第一被検出部５０Ｃと同様である。
【０２９１】
第二センサ部５３Ｃは、非接触式の近接センサである。第二センサ部５３Ｃは、先端を第二被検出部５２Ｃの外周面に対向させた状態で設けられる。第二センサ部５３Ｃは、第二被検出部５２Ｃの外周面との距離に応じて電気信号を出力する。
【０２９２】
たとえば、第二センサ部５３Ｃの出力は、第一大径部５２ａ４または第二大径部５２ｃ４と対向する状態で、ＯＦＦとなる。一方、第二センサ部５３Ｃの出力は、第一小径部５２ｂ４または第二小径部５２ｄ４と対向する状態で、ＯＮとなる。すなわち、本実施形態の場合、第二センサ部５３Ｃの出力がＯＮとなる条件が、前述の実施形態２および実施形態３の場合と逆である。
【０２９３】
本実施形態の場合、位置情報検出装置５００Ｃの中立状態において、第一センサ部５１Ｃは、第一被検出部５０Ｃの第二小径部５０ｄ４と対向する。一方、位置情報検出装置５００Ｃの中立状態において、第二センサ部５３Ｃは、第二被検出部５２Ｃの第一小径部５２ｂ４と対向する。
【０２９４】
以上のような位置情報検出装置５００Ｃは、第一センサ部５１Ｃの出力と、第二センサ部５３Ｃの出力との組み合わせに基づいて、ブーム連結ピン１４４ａおよびシリンダ連結ピン４５４ａ、４５４ｂが、ピンの中立状態、ブーム連結ピンの抜き状態、およびシリンダ連結ピンの抜き状態の何れに対応する状態であるかを検出する。以下、この点について、図２４を参照して説明する。
【０２９５】
ピンの中立状態に対応する位置情報検出装置５００Ｃの状態（図２４のＣ列に示す状態）から、電動モータ４１（図７参照）が正転すると、位置情報検出装置５００Ｃは、ブーム連結ピンの抜き動作状態に対応する状態（図２４のＤ列に示す状態）を経て、ブーム連結ピンの抜き状態に対応する状態（図２４のＥ列に示す状態）となる。
【０２９６】
ブーム連結ピンの抜き状態に対応する状態において、第一センサ部５１Ｃは、第一被検出部５０Ｃの第一大径部５０ａ４と対向する。この状態の第一センサ部５１Ｃの出力は、ＯＦＦである（図２４のＥ−４参照）。
【０２９７】
また、ブーム連結ピンの抜き状態に対応する状態において、第二センサ部５３Ｃは、第二被検出部５２Ｃの第二小径部５２ｄ４と対向する。この状態の第二センサ部５３Ｃの出力は、ＯＮである（図２４のＥ−３参照）。
【０２９８】
このような第一センサ部５１Ｃの出力（ＯＦＦ）と第二センサ部５３Ｃの出力（ＯＮ）との組み合わせにより、位置情報検出装置５００Ｃは、ブーム連結ピン１４４ａおよびシリンダ連結ピン４５４ａ、４５４ｂが、ブーム連結ピンの抜き状態であることを検出する。そして、位置情報検出装置５００Ｃの検出結果に基づいて、制御部（図示省略）は、電動モータ４１の動作を停止する。
【０２９９】
一方、ピンの中立状態に対応する位置情報検出装置５００Ｃの状態（図２４のＣ列に示す状態）から、電動モータ４１（図７参照）が逆転すると、位置情報検出装置５００Ｃは、シリンダ連結ピンの抜き動作状態に対応する状態（図２４のＢ列に示す状態）を経て、シリンダ連結ピンの抜き状態に対応する状態（図２４のＡ列に示す状態）となる。
【０３００】
シリンダ連結ピンの抜き状態に対応する状態において、第一センサ部５１Ｃは、第一被検出部５０Ｃの第一小径部５０ｂ４と対向する。この状態の第一センサ部５１Ｃの出力は、ＯＮである（図２４のＡ−４参照）。
【０３０１】
また、シリンダ連結ピンの抜き状態に対応する状態において、第二センサ部５３Ｃは、第二被検出部５２Ｃの第一大径部５２ａ４と対向する。この状態の第二センサ部５３Ｃの出力は、ＯＦＦである（図２４のＡ−３参照）。
【０３０２】
このような第一センサ部５１Ｃの出力（ＯＮ）と第二センサ部５３Ｃの出力（ＯＦＦ）との組み合わせにより、位置情報検出装置５００Ｃは、ブーム連結ピン１４４ａおよびシリンダ連結ピン４５４ａ、４５４ｂが、シリンダ連結ピンの抜き状態であることを検出する。そして、位置情報検出装置５００Ｃの検出結果に基づいて、制御部（図示省略）は、電動モータ４１の動作を停止する。その他の、構成および作用・効果については前述した実施形態２と同様である。
【０３０３】
［５．  実施形態５］
図２５Ａ〜図２６を参照して、本発明に係る実施形態５について説明する。本実施形態の場合、位置情報検出装置５００Ｄの構造が、前述した実施形態２における位置情報検出装置５００Ａと異なる。それ以外の部分の構造は、実施形態２と同様である。以下、位置情報検出装置５００Ｄの構造について説明する。なお、図２５Ａ〜２５Ｅは、前述の実施形態３の説明で参照した図２１Ａ〜図２１Ｅに対応する図である。また、図２６は、前述の実施形態３の説明で参照した図２２に対応する図である。
【０３０４】
位置情報検出装置５００Ｄは、第一検出装置５０１Ｄ、第二検出装置５０２Ｄ、および第三検出装置５０３Ｄを有する。
【０３０５】
第一検出装置５０１Ｄは、第一被検出部５０Ｄおよび第一センサ部５１Ｄを有する。第一被検出部５０Ｄは、中心孔に伝達軸４３２が挿通された状態で、伝達軸４３２に固定される。第一被検出部５０Ｄは、伝達軸４３２とともに回転する。
【０３０６】
第一被検出部５０Ｄは、外周面に、中心軸からの距離が大きい（外径が大きい）第一大径部５０ａ５、第二大径部５０ｃ５、および第三大径部５０ｅ５と、中心軸からの距離が小さい（外径が小さい）第一小径部５０ｂ５、第二小径部５０ｄ５、および第三小径部５０ｆ５とを有する。
【０３０７】
本実施形態の場合、第一小径部５０ｂ５、第二小径部５０ｄ５、および第三小径部５０ｆ５は、第一被検出部５０Ｄの外周面において、第一被検出部５０Ｄの中心軸を中心に９０°間隔で配置される。第一小径部５０ｂ５と第三小径部５０ｆ５とは、第一被検出部５０Ｄの中心軸を中心に１８０°ずれて配置される。なお、第一小径部５０ｂ５、第二小径部５０ｄ５、および第三小径部５０ｆ５の位置関係は、本実施形態の関係に限定されない。第一小径部５０ｂ５、第二小径部５０ｄ５、および第三小径部５０ｆ５の位置関係は、収縮状態と拡張状態とを状態遷移する際のブーム連結ピンおよびシリンダ連結ピンのストローク量に応じて適宜決定される。
【０３０８】
第一大径部５０ａ５は、第一小径部５０ｂ５と第三小径部５０ｆ５との間に配置される。第二大径部５０ｃ５は、第一小径部５０ｂ５と第二小径部５０ｄ５との間に配置される。第三大径部５０ｅ５は、第二小径部５０ｄ５と第三小径部５０ｆ５との間に配置される。
【０３０９】
第一センサ部５１Ｄは、非接触式の近接センサである。第一センサ部５１Ｄは、先端を第一被検出部５０Ｄの外周面に対向させた状態で設けられる。第一センサ部５１Ｄは、第一被検出部５０Ｄの外周面との距離に応じて電気信号を出力する。
【０３１０】
たとえば、第一センサ部５１Ｄの出力は、第一大径部５０ａ５、第二大径部５０ｃ５、および第三大径部５０ｅ５と対向する状態で、ＯＦＦとなる。一方、第一センサ部５１Ｄの出力は、第一小径部５０ｂ５、第二小径部５０ｄ５、および第三小径部５０ｆ５と対向する状態で、ＯＮとなる。すなわち、本実施形態の場合、第一センサ部５１Ｄの出力がＯＮとなる条件が、前述の実施形態２および実施形態３の場合と逆である。
【０３１１】
第二検出装置５０２Ｄは、第二被検出部５２Ｄおよび第二センサ部５３Ｄを有する。第二被検出部５２Ｄは、中心孔に伝達軸４３２が挿通された状態で、伝達軸４３２における第一被検出部５０ＤよりもＸ方向−側に固定される。第二被検出部５２Ｄは、伝達軸４３２とともに回転する。
【０３１２】
第二被検出部５２Ｄは、外周面に、中心軸からの距離が大きい（外径が大きい）第一大径部５２ａ５と、中心軸からの距離が小さい（外径が小さい）第一小径部５２ｂ５を有する。
【０３１３】
本実施形態の場合、第一大径部５２ａ５は、第二被検出部５２Ｄの外周面において、第二被検出部５２Ｄの中心軸を中心とした中心角が約２４０°の範囲に配置される。第一小径部５２ｂ５は、第二被検出部５２Ｄの外周面において、第一大径部５２ａ５以外の部分に配置される。なお、第一大径部５２ａ５と第一小径部５２ｂ５との位置関係は、本実施形態の関係に限定されない。第一大径部５２ａ５と第一小径部５２ｂ５との位置関係は、収縮状態と拡張状態とを状態遷移する際のブーム連結ピンおよびシリンダ連結ピンのストローク量に応じて適宜決定される。
【０３１４】
第二センサ部５３Ｄは、非接触式の近接センサである。第二センサ部５３Ｄは、先端を第二被検出部５２Ｄの外周面に対向させた状態で設けられる。第二センサ部５３Ｄは、第二被検出部５２Ｄの外周面との距離に応じて電気信号を出力する。
【０３１５】
たとえば、第二センサ部５３Ｄの出力は、第一大径部５２ａ５と対向する状態で、ＯＦＦとなる。一方、第二センサ部５３Ｄの出力は、第一小径部５２ｂ５と対向する状態で、ＯＮとなる。すなわち、本実施形態の場合、第二センサ部５３Ｄの出力がＯＮとなる条件が、前述の実施形態２および実施形態３の場合と逆である。
【０３１６】
第三検出装置５０３Ｄは、第三被検出部５４Ｄおよび第三センサ部５５Ｄを有する。第三被検出部５４Ｄは、中心孔に伝達軸４３２が挿通された状態で、伝達軸４３２における第二被検出部５２ＤよりもＸ方向−側に固定される。第三被検出部５４Ｄは、伝達軸４３２とともに回転する。
【０３１７】
第三被検出部５４Ｄは、外周面に、中心軸からの距離が大きい（外径が大きい）第一大径部５４ａ５と、中心軸からの距離が小さい（外径が小さい）第一小径部５４ｂ５とを有する。第三被検出部５４Ｄの構成は、前述した第二被検出部５２Ｄと同様である。
【０３１８】
第三センサ部５５Ｄは、非接触式の近接センサである。第三センサ部５５Ｄは、先端を第三被検出部５４Ｄの外周面に対向させた状態で設けられる。第三センサ部５５Ｄは、第三被検出部５４Ｄの外周面との距離に応じて電気信号を出力する。第三センサ部５５Ｄの出力がＯＮとなる条件は、前述した第二センサ部５３Ｄと同様である。
【０３１９】
本実施形態の場合、位置情報検出装置５００Ｄの中立状態において、第一センサ部５１Ｄは、第一被検出部５０Ｄの第二小径部５０ｄ５と対向する。また、位置情報検出装置５００Ｄの中立状態において、第二センサ部５３Ｄは、第二被検出部５２Ｄの第一小径部５２ｂ５と対向する。さらに、位置情報検出装置５００Ｄの中立状態において、第三センサ部５５Ｄは、第三被検出部５４Ｄの第一小径部５４ｂ５に対向する。
【０３２０】
以上のような位置情報検出装置５００Ｄは、第一センサ部５１Ｄの出力、第二センサ部５３Ｄの出力、および第三センサ部５５Ｄの出力の組み合わせに基づいて、ブーム連結ピン１４４ａおよびシリンダ連結ピン４５４ａ、４５４ｂが、ピンの中立状態、ブーム連結ピンの抜き動作状態、ブーム連結ピンの抜き状態、シリンダ連結ピンの抜き動作状態、およびシリンダ連結ピンの抜き状態の何れに対応する状態であるかを検出する。以下、この点について、図２６を参照して説明する。
【０３２１】
ピンの中立状態に対応する位置情報検出装置５００Ｄの状態（図２６のＣ列に示す状態）から、電動モータ４１（図７参照）が正転すると、位置情報検出装置５００Ｄは、ブーム連結ピンの抜き動作状態に対応する状態（図２６のＤ列に示す状態）となる。
【０３２２】
ブーム連結ピンの抜き動作状態に対応する状態において、第一センサ部５１Ｄは、第一被検出部５０Ｄの第三大径部５０ｅ５と対向する。この状態の第一センサ部５１Ｄの出力は、ＯＦＦである（図２６のＤ−５参照）。
【０３２３】
また、ブーム連結ピンの抜き動作状態に対応する状態において、第二センサ部５３Ｄは、第二被検出部５２Ｄの第一大径部５２ａ５と対向する。この状態の第二センサ部５３Ｄの出力は、ＯＦＦである（図２６のＤ−４参照）。
【０３２４】
また、ブーム連結ピンの抜き動作状態に対応する状態において、第三センサ部５５Ｄは、第三被検出部５４Ｄの第一小径部５４ｂ５と対向する。この状態の第三センサ部５５Ｄの出力は、ＯＮである（図２６のＤ−３参照）。
【０３２５】
このような第一センサ部５１Ｄの出力（ＯＦＦ）、第二センサ部５３Ｄの出力（ＯＦＦ）、および第三センサ部５５Ｄの出力（ＯＮ）の組み合わせにより、位置情報検出装置５００Ｄは、ブーム連結ピン１４４ａおよびシリンダ連結ピン４５４ａ、４５４ｂが、ブーム連結ピンの抜き動作状態であることを検出する。そして、位置情報検出装置５００Ｄの検出結果に基づいて、制御部（図示省略）は、電動モータ４１の動作を継続する。
【０３２６】
ブーム連結ピンの抜き動作状態に対応する位置情報検出装置５００Ｄの状態（図２６のＤ列に示す状態）から、さらに、電動モータ４１が正転すると、位置情報検出装置５００Ｄは、ブーム連結ピンの抜き状態に対応する状態（図２６のＥ列に示す状態）となる。
【０３２７】
ブーム連結ピンの抜き状態に対応する状態において、第一センサ部５１Ｄは、第一被検出部５０Ｄの第三小径部５０ｆ５と対向する。この状態の第一センサ部５１Ｄの出力は、ＯＮである（図２６のＥ−５参照）。
【０３２８】
また、ブーム連結ピンの抜き状態に対応する状態において、第二センサ部５３Ｄは、第二被検出部５２Ｄの第一大径部５２ａ５と対向する。この状態の第二センサ部５３Ｄの出力は、ＯＦＦである（図２６のＥ−４参照）。
【０３２９】
また、ブーム連結ピンの抜き状態に対応する状態において、第三センサ部５５Ｄは、第三被検出部５４Ｄの第一小径部５４ｂ５と対向する。この状態の第三センサ部５５Ｄの出力は、ＯＮである（図２６のＥ−３参照）。
【０３３０】
このような第一センサ部５１Ｄの出力（ＯＮ）、第二センサ部５３Ｄの出力（ＯＦＦ）、および第三センサ部５５Ｄの出力（ＯＮ）の組み合わせにより、位置情報検出装置５００Ｄは、ブーム連結ピン１４４ａおよびシリンダ連結ピン４５４ａ、４５４ｂが、ブーム連結ピンの抜き状態であることを検出する。そして、位置情報検出装置５００Ｄの検出結果に基づいて、制御部（図示省略）は、電動モータ４１の動作を停止する。
【０３３１】
ピンの中立状態に対応する位置情報検出装置５００Ｄの状態（図２６のＣ列に示す状態）から、電動モータ４１（図７参照）が逆転すると、位置情報検出装置５００Ｄは、シリンダ連結ピンの抜き動作状態に対応する状態（図２６のＢ列に示す状態）となる。
【０３３２】
シリンダ連結ピンの抜き動作状態に対応する状態において、第一センサ部５１Ｄは、第一被検出部５０Ｄの第二大径部５０ｃ５と対向する。この状態の第一センサ部５１Ｄの出力は、ＯＦＦである（図２６のＢ−５参照）。
【０３３３】
また、シリンダ連結ピンの抜き動作状態に対応する状態において、第二センサ部５３Ｄは、第二被検出部５２Ｄの第一小径部５２ｂ５と対向する。この状態の第二センサ部５３Ｄの出力は、ＯＮである（図２６のＢ−４参照）。
【０３３４】
また、シリンダ連結ピンの抜き動作状態に対応する状態において、第三センサ部５５Ｄは、第三被検出部５４Ｄの第一大径部５４ａ５と対向する。この状態の第三センサ部５５Ｄの出力は、ＯＦＦである（図２６のＢ−３参照）。
【０３３５】
このような第一センサ部５１Ｄの出力（ＯＦＦ）、第二センサ部５３Ｄの出力（ＯＮ）、および第三センサ部５５Ｄの出力（ＯＦＦ）の組み合わせにより、位置情報検出装置５００Ｄは、ブーム連結ピン１４４ａおよびシリンダ連結ピン４５４ａ、４５４ｂが、シリンダ連結ピンの抜き動作状態であることを検出する。そして、位置情報検出装置５００Ｄの検出結果に基づいて、制御部（図示省略）は、電動モータ４１の動作を継続する。
【０３３６】
シリンダ連結ピンの抜き動作状態に対応する位置情報検出装置５００Ｄの状態（図２６のＢ列に示す状態）から、さらに、電動モータ４１が逆転すると、位置情報検出装置５００Ｄは、シリンダ連結ピンの抜き状態に対応する状態（図２６のＡ列に示す状態）となる。
【０３３７】
シリンダ連結ピンの抜き状態に対応する状態において、第一センサ部５１Ｄは、第一被検出部５０Ｄの第一小径部５０ｂ５と対向する。この状態の第一センサ部５１Ｄの出力は、ＯＮである（図２６のＡ−５参照）。
【０３３８】
また、シリンダ連結ピンの抜き状態に対応する状態において、第二センサ部５３Ｄは、第二被検出部５２Ｄの第一小径部５２ｂ５と対向する。この状態の第二センサ部５３Ｄの出力は、ＯＮである（図２６のＡ−４参照）。
【０３３９】
また、ブーム連結ピンの抜き状態に対応する状態において、第三センサ部５５Ｄは、第三被検出部５４Ｄの第一大径部５４ａ５と対向する。この状態の第三センサ部５５Ｄの出力は、ＯＦＦである（図２６のＥ−３参照）。
【０３４０】
このような第一センサ部５１Ｄの出力（ＯＮ）、第二センサ部５３Ｄの出力（ＯＮ）、および第三センサ部５５Ｄの出力（ＯＦＦ）の組み合わせにより、位置情報検出装置５００Ｄは、ブーム連結ピン１４４ａおよびシリンダ連結ピン４５４ａ、４５４ｂが、シリンダ連結ピンの抜き状態であることを検出する。そして、位置情報検出装置５００Ｄの検出結果に基づいて、制御部（図示省略）は、電動モータ４１の動作を停止する。その他の、構成および作用・効果については前述した実施形態２と同様である。
【０３４１】
［６．  実施形態６］
図２７Ａ〜図２８を参照して、本発明に係る実施形態６について説明する。本実施形態の場合、位置情報検出装置５００Ｅの構造が、前述した実施形態２における位置情報検出装置５００Ａと異なる。それ以外の部分の構造は、実施形態２と同様である。以下、位置情報検出装置５００Ｅの構造について説明する。なお、図２７Ａ〜図２７Ｄは、前述の実施形態２の説明で参照した図１９Ａ〜図１９Ｄに対応する図である。また、図２８は、前述の実施形態２の説明で参照した図２０に対応する図である。
【０３４２】
位置情報検出装置５００Ｅは、第一検出装置５０１Ｅおよび第二検出装置５０２Ｅを有する。
【０３４３】
第一検出装置５０１Ｅは、第一被検出部５０Ａおよび第一センサ部５１Ｅを有する。第一被検出部５０Ａの構成は、前述した実施形態２と同様である。
【０３４４】
第一センサ部５１Ｅは、接触式のリミットスイッチである。第一センサ部５１Ｅは、レバー５１ａを有する。第一センサ部５１Ｅは、レバー５１ａが第一被検出部５０Ａの外周面に対向した状態で設けられる。このような第一センサ部５１Ｅは、レバー５１ａと第一被検出部５０Ａとの接触関係に基づいて電気信号を出力する。
【０３４５】
本実施形態の場合、第一センサ部５１Ｅの出力は、レバー５１ａが第一被検出部５０Ａに接触するとＯＮとなり、接触しないとＯＦＦとなる。ただし、第一センサ部５１Ｅの出力は、レバー５１ａが第一被検出部５０Ａに接触するとＯＦＦとなり、接触しないとＯＮとなってもよい。
【０３４６】
具体的には、本実施形態の場合、第一センサ部５１Ｅの出力は、第一大径部５０ａ２または第二大径部５０ｃ２に接触した状態で、ＯＮとなる。
【０３４７】
第二検出装置５０２Ｅは、第二被検出部５２Ａおよび第二センサ部５３Ｅを有する。第二被検出部５２Ａの構成は、前述した実施形態２と同様である。また、第二センサ部５３Ｅの構成は、第一センサ部５１Ｅと同様である。
【０３４８】
本実施形態の場合、位置情報検出装置５００Ｅは、ブーム連結ピン１４４ａおよびシリンダ連結ピン４５４ａ、４５４ｂが、ピンの中立状態、ブーム連結ピンの抜き状態、およびシリンダ連結ピンの抜き状態の何れに対応する状態であるかを検出する。以下、この点について、図２８を参照して説明する。
【０３４９】
ピンの中立状態に対応する位置情報検出装置５００Ｅの状態（図２８のＣ列に示す状態）から、電動モータ４１（図７参照）が正転すると、位置情報検出装置５００Ｅは、ブーム連結ピンの抜き動作状態に対応する状態（図２８のＤ列に示す状態）を経て、ブーム連結ピンの抜き状態に対応する状態（図２８のＥ列に示す状態）となる。
【０３５０】
ブーム連結ピンの抜き状態に対応する状態において、第一センサ部５１Ｅのレバー５１ａは、第一被検出部５０Ａに接触しない。この状態の第一センサ部５１Ｅの出力は、ＯＦＦである（図２８のＥ−４参照）。
【０３５１】
また、ブーム連結ピンの抜き状態に対応する状態において、第二センサ部５３Ｅのレバー５１ａは、第二被検出部５２Ａの第二大径部５２ｃ２に接触する。この状態の第二センサ部５３Ｅの出力は、ＯＮである（図２８のＥ−３参照）。
【０３５２】
このような第一センサ部５１Ｅの出力（ＯＦＦ）と第二センサ部５３Ｅの出力（ＯＮ）との組み合わせにより、位置情報検出装置５００Ｅは、ブーム連結ピン１４４ａおよびシリンダ連結ピン４５４ａ、４５４ｂが、ブーム連結ピンの抜き状態であることを検出する。そして、位置情報検出装置５００Ｅの検出結果に基づいて、制御部（図示省略）は、電動モータ４１の動作を停止する。
【０３５３】
一方、ピンの中立状態に対応する位置情報検出装置５００Ｅの状態（図２８のＣ列に示す状態）から、電動モータ４１（図７参照）が逆転すると、位置情報検出装置５００Ｅは、シリンダ連結ピンの抜き動作状態に対応する状態（図２８のＢ列に示す状態）を経て、シリンダ連結ピンの抜き状態に対応する状態（図２８のＡ列に示す状態）となる。
【０３５４】
シリンダ連結ピンの抜き状態に対応する状態において、第一センサ部５１Ｅのレバー５１ａは、第一被検出部５０Ａの第一大径部５０ａ２に接触する。この状態の第一センサ部５１Ｅの出力は、ＯＮである（図２８のＡ−４参照）。
【０３５５】
また、シリンダ連結ピンの抜き状態に対応する状態において、第二センサ部５３Ｅのレバー５１ａは、第二被検出部５２Ａに接触しない。この状態の第二センサ部５３Ｅの出力は、ＯＦＦである（図２８のＡ−３参照）。
【０３５６】
このような第一センサ部５１Ｅの出力（ＯＮ）と第二センサ部５３Ｅの出力（ＯＦＦ）との組み合わせにより、位置情報検出装置５００Ｅは、ブーム連結ピン１４４ａおよびシリンダ連結ピン４５４ａ、４５４ｂが、シリンダ連結ピンの抜き状態であることを検出する。そして、位置情報検出装置５００Ｅの検出結果に基づいて、制御部（図示省略）は、電動モータ４１の動作を停止する。その他の、構成および作用・効果については前述した実施形態２と同様である。
【０３５７】
［７．  実施形態７］
図２９Ａ〜図３０を参照して、本発明に係る実施形態７について説明する。本実施形態の場合、位置情報検出装置５００Ｆの構造が、前述した実施形態２における位置情報検出装置５００Ａと異なる。それ以外の部分の構造は、実施形態２と同様である。以下、位置情報検出装置５００Ｆの構造について説明する。なお、図２９Ａ〜図２９Ｅは、前述の実施形態３の説明で参照した図２１Ａ〜図２１Ｅに対応する図である。また、図３０は、前述の実施形態３の説明で参照した図２２に対応する図である。
【０３５８】
位置情報検出装置５００Ｆは、第一検出装置５０１Ｆ、第二検出装置５０２Ｆ、および第三検出装置５０３Ｆを有する。
【０３５９】
第一検出装置５０１Ｆは、第一被検出部５０Ｂおよび第一センサ部５１Ｅを有する。第一被検出部５０Ｂの構成は、前述した実施形態３と同様である。また、第一センサ部５１Ｅの構成は、前述した実施形態６と同様である。
【０３６０】
第二検出装置５０２Ｆは、第二被検出部５２Ｂおよび第二センサ部５３Ｅを有する。第二被検出部５２Ｂの構成は、前述した実施形態３と同様である。また、第二センサ部５３Ｅの構成は、第一センサ部５１Ｅと同様である。
【０３６１】
第三検出装置５０３Ｆは、第三被検出部５４Ｂおよび第三センサ部５５Ｅを有する。第三被検出部５４Ｂの構成は、前述した実施形態３と同様である。また、第三センサ部５５Ｅの構成は、第一センサ部５１Ｅと同様である。
【０３６２】
本実施形態の場合、位置情報検出装置５００Ｆは、ブーム連結ピン１４４ａおよびシリンダ連結ピン４５４ａ、４５４ｂが、ピンの中立状態、ブーム連結ピンの抜き動作状態、ブーム連結ピンの抜き状態、シリンダ連結ピンの抜き動作状態、およびシリンダ連結ピンの抜き状態の何れに対応する状態であるかを検出する。以下、この点について、図３０を参照して説明する。
【０３６３】
ピンの中立状態に対応する位置情報検出装置５００Ｆの状態（図３０のＣ列に示す状態）から、電動モータ４１（図７参照）が正転すると、位置情報検出装置５００Ｆは、ブーム連結ピンの抜き動作状態に対応する状態（図３０のＤ列に示す状態）となる。
【０３６４】
ブーム連結ピンの抜き動作状態に対応する状態において、第一センサ部５１Ｅのレバー５１ａは、第一被検出部５０Ｂに接触しない。この状態の第一センサ部５１Ｅの出力は、ＯＦＦである（図３０のＤ−５参照）。
【０３６５】
また、ブーム連結ピンの抜き動作状態に対応する状態において、第二センサ部５３Ｅのレバー５１ａは、第二被検出部５２Ｂに接触しない。この状態の第二センサ部５３Ｅの出力は、ＯＦＦである（図３０のＤ−４参照）。
【０３６６】
また、ブーム連結ピンの抜き動作状態に対応する状態において、第三センサ部５５Ｅのレバー５１ａは、第三被検出部５４Ｂの第一大径部５４ａ３に接触する。この状態の第三センサ部５５Ｅの出力は、ＯＮである（図３０のＤ−３参照）。
【０３６７】
このような第一センサ部５１Ｅの出力（ＯＦＦ）、第二センサ部５３Ｅの出力（ＯＦＦ）、および第三センサ部５５Ｅの出力（ＯＮ）の組み合わせにより、位置情報検出装置５００Ｆは、ブーム連結ピン１４４ａおよびシリンダ連結ピン４５４ａ、４５４ｂが、ブーム連結ピンの抜き動作状態であることを検出する。そして、位置情報検出装置５００Ｆの検出結果に基づいて、制御部（図示省略）は、電動モータ４１の動作を継続する。
【０３６８】
ブーム連結ピンの抜き動作状態に対応する位置情報検出装置５００Ｆの状態（図３０のＤ列に示す状態）から、さらに、電動モータ４１が正転すると、位置情報検出装置５００Ｆは、ブーム連結ピンの抜き状態に対応する状態（図３０のＥ列に示す状態）となる。
【０３６９】
ブーム連結ピンの抜き状態に対応する状態において、第一センサ部５１Ｅのレバー５１ａは、第一被検出部５０Ｂの第三大径部５０ｅ３に接触する。この状態の第一センサ部５１Ｅの出力は、ＯＮである（図３０のＥ−５参照）。
【０３７０】
また、ブーム連結ピンの抜き状態に対応する状態において、第二センサ部５３Ｅのレバー５１ａは、第二被検出部５２Ｂに接触しない。この状態の第二センサ部５３Ｅの出力は、ＯＦＦである（図３０のＥ−４参照）。
【０３７１】
また、ブーム連結ピンの抜き状態に対応する状態において、第三センサ部５５Ｅのレバー５１ａは、第三被検出部５４Ｂの第一大径部５４ａ３に接触する。この状態の第三センサ部５５Ｅの出力は、ＯＮである（図３０のＥ−３参照）。
【０３７２】
このような第一センサ部５１Ｅの出力（ＯＮ）、第二センサ部５３Ｅの出力（ＯＦＦ）、および第三センサ部５５Ｅの出力（ＯＮ）の組み合わせにより、位置情報検出装置５００Ｆは、ブーム連結ピン１４４ａおよびシリンダ連結ピン４５４ａ、４５４ｂが、ブーム連結ピンの抜き状態であることを検出する。そして、位置情報検出装置５００Ｆの検出結果に基づいて、制御部（図示省略）は、電動モータ４１の動作を停止する。
【０３７３】
ピンの中立状態に対応する位置情報検出装置５００Ｆの状態（図３０のＣ列に示す状態）から、電動モータ４１（図７参照）が逆転すると、位置情報検出装置５００Ｆは、シリンダ連結ピンの抜き動作状態に対応する状態（図３０のＢ列に示す状態）となる。
【０３７４】
シリンダ連結ピンの抜き動作状態に対応する状態において、第一センサ部５１Ｅのレバー５１ａは、第一被検出部５０Ｂに接触しない。この状態の第一センサ部５１Ｅの出力は、ＯＦＦである（図３０のＢ−５参照）。
【０３７５】
また、シリンダ連結ピンの抜き動作状態に対応する状態において、第二センサ部５３Ｅのレバー５１ａは、第二被検出部５２Ｂの第一大径部５２ａ３に接触する。この状態の第二センサ部５３Ｅの出力は、ＯＮである（図３０のＢ−４参照）。
【０３７６】
また、シリンダ連結ピンの抜き動作状態に対応する状態において、第三センサ部５５Ｅのレバー５１ａは、第三被検出部５４Ｂに接触しない。この状態の第三センサ部５５Ｅの出力は、ＯＦＦである（図３０のＢ−３参照）。
【０３７７】
このような第一センサ部５１Ｅの出力（ＯＦＦ）、第二センサ部５３Ｅの出力（ＯＮ）、および第三センサ部５５Ｅの出力（ＯＦＦ）の組み合わせにより、位置情報検出装置５００Ｆは、ブーム連結ピン１４４ａおよびシリンダ連結ピン４５４ａ、４５４ｂが、シリンダ連結ピンの抜き動作状態であることを検出する。そして、位置情報検出装置５００Ｆの検出結果に基づいて、制御部（図示省略）は、電動モータ４１の動作を継続する。
【０３７８】
シリンダ連結ピンの抜き動作状態に対応する位置情報検出装置５００Ｆの状態（図３０のＢ列に示す状態）から、さらに、電動モータ４１が逆転すると、位置情報検出装置５００Ｆは、シリンダ連結ピンの抜き状態に対応する状態（図３０のＡ列に示す状態）となる。
【０３７９】
シリンダ連結ピンの抜き状態に対応する状態において、第一センサ部５１Ｅのレバー５１ａは、第一被検出部５０Ｂの第一大径部５０ａ３に接触する。この状態の第一センサ部５１Ｅの出力は、ＯＮである（図３０のＡ−５参照）。
【０３８０】
また、シリンダ連結ピンの抜き状態に対応する状態において、第二センサ部５３Ｅのレバー５１ａは、第二被検出部５２Ｂの第一大径部５２ａ３に接触する。この状態の第二センサ部５３Ｅの出力は、ＯＮである（図３０のＡ−４参照）。
【０３８１】
また、ブーム連結ピンの抜き状態に対応する状態において、第三センサ部５５Ｅのレバー５１ａは、第三被検出部５４Ｂに接触しない。この状態の第三センサ部５５Ｅの出力は、ＯＦＦである（図３０のＥ−３参照）。
【０３８２】
このような第一センサ部５１Ｅの出力（ＯＮ）、第二センサ部５３Ｅの出力（ＯＮ）、および第三センサ部５５Ｅの出力（ＯＦＦ）の組み合わせにより、位置情報検出装置５００Ｆは、ブーム連結ピン１４４ａおよびシリンダ連結ピン４５４ａ、４５４ｂが、ブーム連結ピンの抜き状態であることを検出する。そして、位置情報検出装置５００Ｆの検出結果に基づいて、制御部（図示省略）は、電動モータ４１の動作を停止する。その他の、構成および作用・効果については前述した実施形態３と同様である。
【０３８３】
［８．  実施形態８］
図３１Ａ〜図３２を参照して、本発明に係る実施形態８について説明する。本実施形態の場合、位置情報検出装置５００Ｇの構造が、前述した実施形態２における位置情報検出装置５００Ａと異なる。それ以外の部分の構造は、実施形態２と同様である。以下、位置情報検出装置５００Ｇの構造について説明する。なお、図３１Ａ〜図３１Ｄの構成は、前述した図１９Ａ〜図１９Ｄと同様である。また、図３２の構成は、図２０と同様である。
【０３８４】
位置情報検出装置５００Ｇは、第一検出装置５０１Ｇ、第二検出装置５０２Ｇを有する。
【０３８５】
第一検出装置５０１Ｇは、第一被検出部５０Ｃおよび第一センサ部５１Ｆを有する。第一被検出部５０Ｃの構成は、前述した実施形態４と同様である。また、第一センサ部５１Ｆの構成は、前述した実施形態６とほぼ同様である。ただし、本実施形態の場合、第一センサ部５１Ｆの出力がＯＮとなる条件が、前述の実施形態６の場合と逆になる。
【０３８６】
第二検出装置５０２Ｇは、第二被検出部５２Ｃおよび第二センサ部５３Ｆを有する。第二被検出部５２Ｃの構成は、前述した実施形態４と同様である。また、第二センサ部５３Ｆの構成は、第一センサ部５１Ｆと同様である。
【０３８７】
以上のような位置情報検出装置５００Ｇは、第一センサ部５１Ｆの出力と、第二センサ部５３Ｆの出力との組み合わせに基づいて、シリンダ連結ピン４５４ａ、４５４ｂおよびブーム連結ピン１４４ａが、ピンの中立状態、ブーム連結ピンの抜き状態、およびシリンダ連結ピンの抜き状態の何れに対応する状態であるかを検出する。以下、この点について、図３２を参照して説明する。
【０３８８】
ピンの中立状態に対応する位置情報検出装置５００Ｇの状態（図３２のＣ列に示す状態）から、電動モータ４１（図７参照）が正転すると、位置情報検出装置５００Ｇは、ブーム連結ピンの抜き動作状態に対応する状態（図３２のＤ列に示す状態）を経て、ブーム連結ピンの抜き状態に対応する状態（図３２のＥ列に示す状態）となる。
【０３８９】
ブーム連結ピンの抜き状態に対応する状態において、第一センサ部５１Ｆのレバー５１ａは、第一被検出部５０Ｃの第一大径部５０ａ４に接触する。この状態の第一センサ部５１Ｆの出力は、ＯＦＦである（図３２のＥ−４参照）。
【０３９０】
また、ブーム連結ピンの抜き状態に対応する状態において、第二センサ部５３Ｆのレバー５１ａは、第二被検出部５２Ｃに接触しない。この状態の第二センサ部５３Ｆの出力は、ＯＮである（図３２のＥ−３参照）。
【０３９１】
このような第一センサ部５１Ｆの出力（ＯＦＦ）と第二センサ部５３Ｆの出力（ＯＮ）との組み合わせにより、位置情報検出装置５００Ｇは、ブーム連結ピン１４４ａおよびシリンダ連結ピン４５４ａ、４５４ｂが、ブーム連結ピンの抜き状態であることを検出する。そして、位置情報検出装置５００Ｇの検出結果に基づいて、制御部（図示省略）は、電動モータ４１の動作を停止する。
【０３９２】
一方、ピンの中立状態に対応する位置情報検出装置５００Ｇの状態（図３２のＣ列に示す状態）から、電動モータ４１（図７参照）が逆転すると、位置情報検出装置５００Ｇは、シリンダ連結ピンの抜き動作状態に対応する状態（図３２のＢ列に示す状態）を経て、シリンダ連結ピンの抜き状態に対応する状態（図３２のＡ列に示す状態）となる。
【０３９３】
シリンダ連結ピンの抜き状態に対応する状態において、第一センサ部５１Ｆのレバー５１ａは、第一被検出部５０Ｃに接触しない。この状態の第一センサ部５１Ｆの出力は、ＯＮである（図３２のＡ−４参照）。
【０３９４】
また、シリンダ連結ピンの抜き状態に対応する状態において、第二センサ部５３Ｆのレバー５１ａは、第二被検出部５２Ｃの第一大径部５２ａ４と接触する。この状態の第二センサ部５３Ｆの出力は、ＯＦＦである（図３２のＡ−３参照）。
【０３９５】
このような第一センサ部５１Ｆの出力（ＯＮ）と第二センサ部５３Ｆの出力（ＯＦＦ）との組み合わせにより、位置情報検出装置５００Ｇは、ブーム連結ピン１４４ａおよびシリンダ連結ピン４５４ａ、４５４ｂが、シリンダ連結ピンの抜き状態であることを検出する。そして、位置情報検出装置５００Ｇの検出結果に基づいて、制御部（図示省略）は、電動モータ４１の動作を停止する。その他の、構成および作用・効果については前述した実施形態４と同様である。
【０３９６】
［９．  実施形態９］
図３３Ａ〜図３４を参照して、本発明に係る実施形態９について説明する。本実施形態の場合、位置情報検出装置５００Ｈの構造が、前述した実施形態２における位置情報検出装置５００Ａと異なる。それ以外の部分の構造は、実施形態２と同様である。以下、位置情報検出装置５００Ｈの構造について説明する。なお、図３３Ａ〜図３３Ｅは、前述の実施形態３の説明で参照した図２１Ａ〜図２１Ｅに対応する図である。また、図３４は、前述の実施形態３の説明で参照した図２２に対応する図である。
【０３９７】
位置情報検出装置５００Ｈは、第一検出装置５０１Ｈ、第二検出装置５０２Ｈ、および第三検出装置５０３Ｈを有する。
【０３９８】
第一検出装置５０１Ｈは、第一被検出部５０Ｄおよび第一センサ部５１Ｆを有する。第一被検出部５０Ｄの構成は、前述した実施形態５と同様である。また、第一センサ部５１Ｆの構成は、前述した実施形態８と同様である。
【０３９９】
第二検出装置５０２Ｈは、第二被検出部５２Ｄおよび第二センサ部５３Ｆを有する。第二被検出部５２Ｄの構成は、前述した実施形態５と同様である。また、第二センサ部５３Ｆの構成は、第一センサ部５１Ｆと同様である。
【０４００】
第三検出装置５０３Ｈは、第三被検出部５４Ｄおよび第三センサ部５５Ｆを有する。第三被検出部５４Ｄの構成は、前述した実施形態５と同様である。また、第三センサ部５５Ｆの構成は、第一センサ部５１Ｆと同様である。
【０４０１】
本実施形態の場合、位置情報検出装置５００Ｈは、ブーム連結ピン１４４ａおよびシリンダ連結ピン４５４ａ、４５４ｂが、ピンの中立状態、ブーム連結ピンの抜き動作状態、ブーム連結ピンの抜き状態、シリンダ連結ピンの抜き動作状態、およびシリンダ連結ピンの抜き状態の何れに対応する状態であるかを検出する。以下、この点について、図３４を参照して説明する。
【０４０２】
ピンの中立状態に対応する位置情報検出装置５００Ｈの状態（図３４のＣ列に示す状態）から、電動モータ４１（図７参照）が正転すると、位置情報検出装置５００Ｈは、ブーム連結ピンの抜き動作状態に対応する状態（図３４のＤ列に示す状態）となる。
【０４０３】
ブーム連結ピンの抜き動作状態に対応する状態において、第一センサ部５１Ｆのレバー５１ａは、第一被検出部５０Ｄの第三大径部５０ｅ５に接触する。この状態の第一センサ部５１Ｆの出力は、ＯＦＦである（図３４のＤ−５参照）。
【０４０４】
また、ブーム連結ピンの抜き動作状態に対応する状態において、第二センサ部５３Ｆのレバー５１ａは、第二被検出部５２Ｄの第一大径部５２ａ５に接触する。この状態の第二センサ部５３Ｆの出力は、ＯＦＦである（図３４のＤ−４参照）。
【０４０５】
また、ブーム連結ピンの抜き動作状態に対応する状態において、第三センサ部５５Ｆのレバー５１ａは、第三被検出部５４Ｄに接触しない。この状態の第三センサ部５５Ｆの出力は、ＯＮである（図３４のＤ−３参照）。
【０４０６】
このような第一センサ部５１Ｆの出力（ＯＦＦ）、第二センサ部５３Ｆの出力（ＯＦＦ）、および第三センサ部５５Ｆの出力（ＯＮ）の組み合わせにより、位置情報検出装置５００Ｈは、ブーム連結ピン１４４ａおよびシリンダ連結ピン４５４ａ、４５４ｂが、ブーム連結ピンの抜き動作状態であることを検出する。そして、位置情報検出装置５００Ｈの検出結果に基づいて、制御部（図示省略）は、電動モータ４１の動作を継続する。
【０４０７】
ブーム連結ピンの抜き動作状態に対応する位置情報検出装置５００Ｈの状態（図３４のＤ列に示す状態）から、さらに、電動モータ４１が正転すると、位置情報検出装置５００Ｈは、ブーム連結ピンの抜き状態に対応する状態（図３４のＥ列に示す状態）となる。
【０４０８】
ブーム連結ピンの抜き状態に対応する状態において、第一センサ部５１Ｆのレバー５１ａは、第一被検出部５０Ｄに接触しない。この状態の第一センサ部５１Ｆの出力は、ＯＮである（図３４のＥ−５参照）。
【０４０９】
また、ブーム連結ピンの抜き状態に対応する状態において、第二センサ部５３Ｆのレバー５１ａは、第二被検出部５２Ｄの第一大径部５２ａ５に接触する。この状態の第二センサ部５３Ｆの出力は、ＯＦＦである（図３４のＥ−４参照）。
【０４１０】
また、ブーム連結ピンの抜き状態に対応する状態において、第三センサ部５５Ｆのレバー５１ａは、第三被検出部５４Ｄに接触しない。この状態の第三センサ部５５Ｆの出力は、ＯＮである（図３４のＥ−３参照）。
【０４１１】
このような第一センサ部５１Ｆの出力（ＯＮ）、第二センサ部５３Ｆの出力（ＯＦＦ）、および第三センサ部５５Ｆの出力（ＯＮ）の組み合わせにより、位置情報検出装置５００Ｈは、ブーム連結ピン１４４ａおよびシリンダ連結ピン４５４ａ、４５４ｂが、ブーム連結ピンの抜き状態であることを検出する。そして、位置情報検出装置５００Ｈの検出結果に基づいて、制御部（図示省略）は、電動モータ４１の動作を停止する。
【０４１２】
ピンの中立状態に対応する位置情報検出装置５００Ｈの状態（図３４のＣ列に示す状態）から、電動モータ４１（図７参照）が逆転すると、位置情報検出装置５００Ｈは、シリンダ連結ピンの抜き動作状態に対応する状態（図３４のＢ列に示す状態）となる。
【０４１３】
シリンダ連結ピンの抜き動作状態に対応する状態において、第一センサ部５１Ｆのレバー５１ａは、第一被検出部５０Ｄの第二大径部５０ｃ５に接触する。この状態の第一センサ部５１Ｆの出力は、ＯＦＦである（図３４のＢ−５参照）。
【０４１４】
また、シリンダ連結ピンの抜き動作状態に対応する状態において、第二センサ部５３Ｆのレバー５１ａは、第二被検出部５２Ｄに接触しない。この状態の第二センサ部５３Ｆの出力は、ＯＮである（図３４のＢ−４参照）。
【０４１５】
また、シリンダ連結ピンの抜き動作状態に対応する状態において、第三センサ部５５Ｆのレバー５１ａは、第三被検出部５４Ｄの第一大径部５４ａ５に接触する。この状態の第三センサ部５５Ｆの出力は、ＯＦＦである（図３４のＢ−３参照）。
【０４１６】
このような第一センサ部５１Ｆの出力（ＯＦＦ）、第二センサ部５３Ｆの出力（ＯＮ）、および第三センサ部５５Ｆの出力（ＯＦＦ）の組み合わせにより、位置情報検出装置５００Ｈは、ブーム連結ピン１４４ａおよびシリンダ連結ピン４５４ａ、４５４ｂが、シリンダ連結ピンの抜き動作状態であることを検出する。そして、位置情報検出装置５００Ｈの検出結果に基づいて、制御部（図示省略）は、電動モータ４１の動作を継続する。
【０４１７】
シリンダ連結ピンの抜き動作状態に対応する位置情報検出装置５００Ｈの状態（図３４のＢ列に示す状態）から、さらに、電動モータ４１が逆転すると、位置情報検出装置５００Ｈは、シリンダ連結ピンの抜き状態に対応する状態（図３４のＡ列に示す状態）となる。
【０４１８】
シリンダ連結ピンの抜き状態に対応する状態において、第一センサ部５１Ｆのレバー５１ａは、第一被検出部５０Ｄに接触しない。この状態の第一センサ部５１Ｆの出力は、ＯＮである（図３４のＡ−５参照）。
【０４１９】
また、シリンダ連結ピンの抜き状態に対応する状態において、第二センサ部５３Ｆのレバー５１ａは、第二被検出部５２Ｄに接触しない。この状態の第二センサ部５３Ｆの出力は、ＯＮである（図３４のＡ−４参照）。
【０４２０】
また、ブーム連結ピンの抜き状態に対応する状態において、第三センサ部５５Ｆのレバー５１ａは、第三被検出部５４Ｄの第一大径部５４ａ５に接触する。この状態の第三センサ部５５Ｆの出力は、ＯＦＦである（図３４のＥ−３参照）。
【０４２１】
このような第一センサ部５１Ｆの出力（ＯＮ）、第二センサ部５３Ｆの出力（ＯＮ）、および第三センサ部５５Ｆの出力（ＯＦＦ）の組み合わせにより、位置情報検出装置５００Ｈは、ブーム連結ピン１４４ａおよびシリンダ連結ピン４５４ａ、４５４ｂが、ブーム連結ピンの抜き状態であることを検出する。そして、位置情報検出装置５００Ｈの検出結果に基づいて、制御部（図示省略）は、電動モータ４１の動作を停止する。その他の、構成および作用・効果については前述した実施形態５と同様である。
【産業上の利用可能性】
【０４２２】
本発明に係るクレーンは、ラフテレーンクレーンに限らず、たとえば、オールテレーンクレーン、トラッククレーン、あるいは積載形トラッククレーン（カーゴクレーンともいう。）などの各種の移動式クレーンであってよい。また、本発明に係るクレーンは、移動式クレーンに限らず、伸縮式のブームを備えるその他のクレーンであってもよい。
【符号の説明】
【０４２３】
１  移動式クレーン
１０  走行体
１０１  車輪
１１  アウトリガ
１２  旋回台
１４  伸縮式ブーム
１４１  先端側ブーム要素
１４１ａ  シリンダピン受部
１４１ｂ  ブームピン受部
１４２  中間ブーム要素
１４２ａ  シリンダピン受部
１４２ｂ  第一ブームピン受部
１４２ｃ  第二ブームピン受部
１４２ｄ  第三ブームピン受部
１４３  基端ブーム要素
１４４ａ、１４４ｂ  ブーム連結ピン
１４４ｃ  ピン側受部
１５  起伏シリンダ
１６  ワイヤ
１７  フック
２  アクチュエータ
３  伸縮シリンダ
３１  ロッド部材
３２  シリンダ部材
４  ピン変位モジュール
４０  ハウジング
４００  第一ハウジング要素
４００ａ、４００ｂ  貫通孔
４０１  第二ハウジング要素
４０１ａ、４０１ｂ  貫通孔
４１  電動モータ
４１０  手動操作部
４２  ブレーキ機構
４３  伝達機構
４３１  減速機
４３１ａ  減速機ケース
４３２  伝達軸
４４  位置情報検出装置
４５  シリンダ連結機構
４５０  第一欠歯歯車
４５０ａ  第一歯部
４５０ｂ  位置決め歯
４５１  第一ラックバー
４５１ａ  第一ラック歯部
４５１ｂ  第二ラック歯部
４５１ｃ  第三ラック歯部
４５１ｄ  第一端面
４５２  第一歯車機構
４５２ａ、４５２ｂ、４５２ｃ  歯車要素
４５３  第二歯車機構
４５３ａ、４５３ｂ  歯車要素
４５４ａ、４５４ｂ  シリンダ連結ピン
４５４ｃ、４５４ｄ  ピン側ラック歯部
４５５  第一付勢機構
４５５ａ、４５５ｂ  コイルばね
４６  ブーム連結機構
４６０  第二欠歯歯車
４６０ａ  第二歯部
４６０ｂ  位置決め歯
４６１ａ、４６１ｂ  第二ラックバー
４６１ｃ  駆動用ラック歯部
４６１ｄ  第一端面
４６１ｅ、４６１ｆ  同期用ラック歯部
４６１ｇ、４６１ｈ  係止爪部
４６２  同期歯車
４６３  第二付勢機構
４６３ａ、４６３ｂ  コイルばね
４７  ロック機構
４７０  第一凸部
４７１  第二凸部
４７２  カム部材
４７２ａ  第一カム受部
４７２ｂ  第二カム受部
４８  ストッパ面
４９  一体型欠歯歯車
４９ａ  歯部
５００Ａ、５００Ｂ、５００Ｃ、５００Ｄ、５００Ｅ、５００Ｆ、５００Ｇ、５００Ｈ  位置情報検出装置
５０１Ａ、５０１Ｂ、５０１Ｃ、５０１Ｄ、５０１Ｅ、５０１Ｆ、５０１Ｇ、５０１Ｈ  第一検出装置
５０Ａ、５０Ｂ、５０Ｃ、５０Ｄ  第一被検出部
５０ａ２、５０ａ３、５０ａ４、５０ａ５  第一大径部
５０ｂ２、５０ｂ３、５０ｂ４、５０ｂ５  第一小径部
５０ｃ２、５０ｃ３、５０ｃ４、５０ｃ５  第二大径部
５０ｄ２、５０ｄ３、５０ｄ４、５０ｄ５  第二小径部
５０ｅ３、５０ｅ５  第三大径部
５０ｆ３、５０ｆ５  第三小径部
５１Ａ、５１Ｂ、５１Ｃ、５１Ｄ、５１Ｅ、５１Ｆ  第一センサ部
５１ａ  レバー
５０２Ａ、５０２Ｂ、５０２Ｃ、５０２Ｄ、５０２Ｅ、５０２Ｆ、５０２Ｇ、５０２Ｈ  第二検出装置
５２Ａ、５２Ｂ、５２Ｃ、５２Ｄ  第二被検出部
５２ａ２、５２ａ３、５２ａ４、５２ａ５  第一大径部
５２ｂ２、５２ｂ３、５２ｂ４、５２ｂ５  第一小径部
５２ｃ２、５２ｃ４  第二大径部
５２ｄ２、５２ｄ４  第二小径部
５３Ａ、５３Ｂ、５３Ｃ、５３Ｄ、５３Ｅ、５３Ｆ  第二センサ部
５０３Ｂ、５０３Ｄ、５０３Ｆ、５０３Ｈ  第三検出装置
５４Ｂ、５４Ｄ  第三被検出部
５４ａ３、５４ａ５  第一大径部
５４ｂ３、５４ｂ５  第一小径部
５５Ｂ、５５Ｄ、５５Ｅ、５５Ｆ  第三センサ部
【図１】
2019142620.tif 000003
【図２】
2019142620.tif 000004
【図３Ａ】
2019142620.tif 000005
【図３Ｂ】
2019142620.tif 000006
【図４】
2019142620.tif 000007
【図５】
2019142620.tif 000008
【図６】
2019142620.tif 000009
【図７】
2019142620.tif 000010
【図８】
2019142620.tif 000011
【図９】
2019142620.tif 000012
【図１０】
2019142620.tif 000013
【図１１】
2019142620.tif 000014
【図１２】
2019142620.tif 000015
【図１３】
2019142620.tif 000016
【図１４Ａ】
2019142620.tif 000017
【図１４Ｂ】
2019142620.tif 000018
【図１４Ｃ】
2019142620.tif 000019
【図１４Ｄ】
2019142620.tif 000020
【図１５Ａ】
2019142620.tif 000021
【図１５Ｂ】
2019142620.tif 000022
【図１６】
2019142620.tif 000023
【図１７Ａ】
2019142620.tif 000024
【図１７Ｂ】
2019142620.tif 000025
【図１７Ｃ】
2019142620.tif 000026
【図１８Ａ】
2019142620.tif 000027
【図１８Ｂ】
2019142620.tif 000028
【図１８Ｃ】
2019142620.tif 000029
【図１９Ａ】
2019142620.tif 000030
【図１９Ｂ】
2019142620.tif 000031
【図１９Ｃ】
2019142620.tif 000032
【図１９Ｄ】
2019142620.tif 000033
【図２０】
2019142620.tif 000034
【図２１Ａ】
2019142620.tif 000035
【図２１Ｂ】
2019142620.tif 000036
【図２１Ｃ】
2019142620.tif 000037
【図２１Ｄ】
2019142620.tif 000038
【図２１Ｅ】
2019142620.tif 000039
【図２２】
2019142620.tif 000040
【図２３Ａ】
2019142620.tif 000041
【図２３Ｂ】
2019142620.tif 000042
【図２３Ｃ】
2019142620.tif 000043
【図２３Ｄ】
2019142620.tif 000044
【図２４】
2019142620.tif 000045
【図２５Ａ】
2019142620.tif 000046
【図２５Ｂ】
2019142620.tif 000047
【図２５Ｃ】
2019142620.tif 000048
【図２５Ｄ】
2019142620.tif 000049
【図２５Ｅ】
2019142620.tif 000050
【図２６】
2019142620.tif 000051
【図２７Ａ】
2019142620.tif 000052
【図２７Ｂ】
2019142620.tif 000053
【図２７Ｃ】
2019142620.tif 000054
【図２７Ｄ】
2019142620.tif 000055
【図２８】
2019142620.tif 000056
【図２９Ａ】
2019142620.tif 000057
【図２９Ｂ】
2019142620.tif 000058
【図２９Ｃ】
2019142620.tif 000059
【図２９Ｄ】
2019142620.tif 000060
【図２９Ｅ】
2019142620.tif 000061
【図３０】
2019142620.tif 000062
【図３１Ａ】
2019142620.tif 000063
【図３１Ｂ】
2019142620.tif 000064
【図３１Ｃ】
2019142620.tif 000065
【図３１Ｄ】
2019142620.tif 000066
【図３２】
2019142620.tif 000067
【図３３Ａ】
2019142620.tif 000068
【図３３Ｂ】
2019142620.tif 000069
【図３３Ｃ】
2019142620.tif 000070
【図３３Ｄ】
2019142620.tif 000071
【図３３Ｅ】
2019142620.tif 000072
【図３４】
2019142620.tif 000073